(57)【要約】  デジタル放送プログラムを多様な形態の個人端末に提供するようにするための、拡張メタデータとこれを用いて前記端末に適応プログラムサービスを提供するシステム及びその方法に関し、本発明は、ホームネットワークに接続された多様な形態の端末環境に適切にデジタル放送サービスを提供するために、個別の端末の全ての条件(端末、プログラム、ユーザ)などの組み合せと個別の組み合せに合うリソース情報を統合管理し、時/空間的な位置情報と分離されたリソース関連情報を単独で管理することによって、個人端末に適切な場面を再構成して提供できるように拡張されたメタデータを用いて適応プログラムサービスを提供するシステム及びその方法と、前記方法を実現させるための記録媒体を提供することにその目的がある。本発明は、デジタル放送プログラムサービスを多様な形態の端末に提供するための拡張 メタデータのデータ構造において、前記プログラムを構成する重要セグメントに対する記述情報を含むセグメンテーションメタデータ及び前記プログラムを前記多様な形態の端末に適切に提供するように、前記セグメントの下位構成リソースに対する記述情報を含むリソース記述メタデータを含む。
2007520900.tif 000002
【特許請求の範囲】
【請求項１】
デジタル放送プログラムサービスを多様な形態の端末に提供するための拡張メタデータのデータ構造において、
前記プログラムを構成する重要セグメントに対する記述情報を含むセグメンテーションメタデータと、
前記プログラムを前記多様な形態の端末に適切に提供するように、前記セグメントの下位構成リソースに対する記述情報を含むリソース記述メタデータと、
を含むことを特徴とする拡張メタデータ。
【請求項２】
前記リソース記述メタデータが、
前記下位構成リソースに対する一般情報を記述する情報を含むリソースメタデータと、
前記端末の使用条件情報と各条件に合う場面構成のために用いられるリソースタイプ情報とを含むリソース構成メタデータと、
を含むことを特徴とする請求項１に記載の拡張メタデータ。
【請求項３】
前記一般情報が、リソースの時/空間的な位置及び相互作用情報から分離された情報であることを特徴とする請求項２に記載の拡張メタデータ。
【請求項４】
前記端末の使用条件情報が、端末条件、プログラム条件と、ユーザ条件情報とを含むことを特徴とする請求項３に記載の拡張メタデータ。
【請求項５】
前記リソースタイプ情報が、リソースのＣＲＩＤ(Content Reference Idenditier, CRID)を含むことを特徴とする請求項４に記載の拡張メタデータ。
【請求項６】
前記リソースメタデータが、上位セグメンテーションメタデータによって記述されるセグメントのビデオ個体情報を記述するビデオメタデータと、
を含むことを特徴とする請求項５に記載の拡張メタデータ。
【請求項７】
前記ビデオ個体情報が、前記セグメントのＣＲＩＤ、画面の大きさ、ファイルフォーマット、ファイルの大きさ、ビット率、色ドメイン、プログラムでのスタート位置、またはビデオ区間情報を含むことを特徴とする請求項６に記載の拡張メタデータ。
【請求項８】
前記リソースメタデータが、上位セグメンテーションメタデータによって記述されるセグメントのオーディオ個体情報を記述するオーディオメタデータをさらに含むことを特徴とする請求項７に記載の拡張メタデータ。
【請求項９】
前記オーディオ個体情報が、前記セグメントのＣＲＩＤ、ファイルフォーマット、ファイルの大きさ、ビット率、サンプリング周波数、チャネル数、プログラムでのスタート位置、またはオーディオ区間情報を含むことを特徴とする請求項８に記載の拡張メタデータ。
【請求項１０】
前記リソースメタデータが、上位セグメンテーションメタデータによって記述されるセグメントのテキスト個体情報を記述するテキストメタデータをさらに含むことを特徴とする請求項９に記載の拡張メタデータ。
【請求項１１】
前記テキスト個体情報が、ＣＲＩＤと言語種類情報とを含むことを特徴とする請求項１０に記載の拡張メタデータ。 
【請求項１２】
前記リソースメタデータが、上位セグメンテーションメタデータによって記述されるセグメントのイメージ個体情報を記述するイメージメタデータをさらに含むことを特徴とする請求項１１に記載の拡張メタデータ。
【請求項１３】
前記イメージ個体情報が、前記セグメントのＣＲＩＤ、画面の大きさ、ファイルフォーマット、ファイルの大きさ、ビット率、または色ドメイン情報を含むことを特徴とする請求項１２に記載の拡張メタデータ。
【請求項１４】
前記リソースメタデータが、上位セグメンテーションメタデータによって記述されるセグメントと関連したＨＴＭＬ(Hyper Text Markup language) 文書のＵＲＩ(Uniform Resource Identifier, URI)を含むＨＴＭＬメタデータ２１５をさらに含むことを特徴とする請求項１３に記載の拡張メタデータ。
【請求項１５】
デジタル放送プログラムサービスを多様な形態の端末に提供するように拡張メタデータを用いた適応プログラムサービス提供システムにおいて、
前記プログラムと、前記拡張メタデータとを提供する放送プログラムサービス提供手段と、
前記放送プログラムサービス提供手段で送信した前記プログラムと、前記拡張メタデータとを格納し、前記端末の条件に対応するリソースを用いて前記端末の使用条件に適切なプログラムを提供する個人プログラムサービス提供手段と、
前記個人プログラムサービス提供手段で端末条件とユーザ条件とを送信し、前記個人プログラムサービス提供手段から適応プログラムを送信されるための個人端末制御/再生手段と、
を含むことを特徴とする適応サービス提供システム。
【請求項１６】
前記個人プログラムサービス提供手段が、
前記プログラムと、前記拡張メタデータとを受信して格納する格納手段と、
前記端末条件と、ユーザ条件とを前記個人端末制御/再生手段から送信され、プログラム条件を前記格納手段から送信されてこれを用いて前記適応プログラム提供に用いられるリソースを決定する個人プログラム分析手段と、
前記個人プログラム分析手段で決定したリソースを用いて前記適応プログラムを生成して前記個人端末制御/再生手段に送信する個人プログラム生成手段と、
を含むことを特徴とする請求項１５に記載の適応プログラムサービス提供システム。
【請求項１７】
前記個人端末制御/再生手段が、
前記個人プログラムサービス提供手段から前記拡張メタデータを送信されて特定プログラムを検索し、前記個人端末の端末条件と、ユーザ条件情報とを前記個人プログラムサービス提供手段に送信する制御手段と、
前記適応プログラムを前記個人プログラムサービス提供手段から送信され、これを用いて再生する再生手段と、
を含むことを特徴とする請求項１６に記載の適応プログラムサービス提供システム。
【請求項１８】
特定プログラムに接続した追加資料を前記個人端末制御/再生手段に提供する追加資料提供手段をさらに含むことを特徴とする請求項１７に記載の適応サービス提供システム。
【請求項１９】
前記拡張メタデータが、
前記プログラムを構成する重要セグメントに対する記述情報を含むセグメンテーションメタデータと、
前記プログラムを前記多様な形態の端末に適切に提供するように、前記セグメントの下位構成リソースに対する記述情報を含むリソース記述メタデータと、
を含む拡張メタデータであることを特徴とする請求項１８に記載の適応サービス提供システム。
【請求項２０】
前記リソース記述メタデータが、
前記下位構成リソースに対する一般情報を記述する情報を含むリソースメタデータと、
前記端末の使用条件情報と各条件に合う場面構成のために用いられるリソースタイプ情報とを含むリソース構成メタデータと、
を含む拡張メタデータであることを特徴とする請求項１９に記載の適応サービス提供システム。
【請求項２１】
前記一般情報が、リソースの時/空間的な位置及び相互作用情報から分離された情報であることを特徴とする拡張メタデータであることを特徴とする請求項２０に記載の適応サービス提供システム。
【請求項２２】
前記端末の使用条件情報が、端末条件、プログラム条件と、ユーザ条件情報とを含むことを特徴とする拡張メタデータであることを特徴とする請求項２１に記載の適応サービス提供システム。
【請求項２３】
前記リソースタイプ情報が、リソースのＣＲＩＤ(Content Reference Idenditier, CRID)を含むことを特徴とする拡張メタデータであることを特徴とする請求項２２に記載の適応サービス提供システム。
【請求項２４】
前記リソースメタデータが、上位セグメンテーションメタデータによって記述されるセグメントのビデオ個体情報を記述するビデオメタデータと、
上位セグメンテーションメタデータによって記述されるセグメントのオーディオ個体情報を記述するオーディオメタデータと、
上位セグメンテーションメタデータによって記述されるセグメントのテキスト個体情報を記述するテキストメタデータと、
上位セグメンテーションメタデータによって記述されるセグメントのイメージ個体情報を記述するイメージメタデータと、
上位セグメンテーションメタデータによって記述されるセグメントと関連したＨＴＭＬ(Hyper Text Markup language) 文書のＵＲＩ(Uniform Resource Identifier, URI)を含むＨＴＭＬメタデータ２１５と、
を含む拡張メタデータであることを特徴とする請求項２３に記載の適応サービス提供システム。
【請求項２５】
前記ビデオ個体情報は前記セグメントのＣＲＩＤ、画面の大きさ、ファイルフォーマット、ファイルの大きさ、ビット率、色ドメイン、プログラムでのスタート位置またはビデオ区間情報を含み、
前記オーディオ個体情報は、前記セグメントのＣＲＩＤ、ファイルフォーマット、ファイルの大きさ、ビット率、サンプリング周波数、チャネル数、プログラムでのスタート位置またはオーディオ区間情報を含み、
前記テキスト個体情報は、ＣＲＩＤと言語種類情報とを含み、
前記イメージ個体情報は前記セグメントのＣＲＩＤ、画面の大きさ、ファイルフォーマット、ファイルの大きさ、ビット率または色ドメイン情報と、
を含む拡張メタデータであることを特徴とする請求項２４に記載の適応サービス提供システム。
【請求項２６】
デジタル放送プログラムサービスを多様な形態の端末に提供するように拡張メタデータを用いた適応プログラムを提供するシステムに用いられる、放送プログラムサービス提供装置において、
前記プログラムと、前記拡張メタデータとを提供する放送プログラム提供手段を含むことを特徴とする放送プログラムサービス提供装置。
【請求項２７】
前記拡張メタデータが、
前記プログラムを構成する重要セグメントに対する記述情報を含むセグメンテーションメタデータと、
前記プログラムを前記多様な形態の端末に適切に提供するように、前記セグメントの下位構成リソースに対する記述情報を含むリソース記述メタデータと、
を含む拡張メタデータであることを特徴とする請求項２６に記載の放送プログラムサービス提供装置。
【請求項２８】
前記リソース記述メタデータが、
前記下位構成リソースに対する一般情報を記述する情報を含むリソースメタデータと、
前記端末の使用条件情報と各条件に合う場面構成のために用いられるリソースタイプ情報を含むリソース構成メタデータと、
を含む拡張メタデータであることを特徴とする請求項２７に記載の放送プログラムサービス提供装置。
【請求項２９】
前記一般情報が、リソースの時/空間的な位置及び相互作用情報から分離された情報であることを特徴とする拡張メタデータであることを特徴とする請求項２８に記載の放送プログラムサービス提供装置。
【請求項３０】
前記端末の使用条件情報が、端末条件、プログラム条件と、ユーザ条件情報とを含むことを特徴とする拡張メタデータであることを特徴とする請求項２９に記載の放送プログラムサービス提供装置。
【請求項３１】
前記リソースタイプ情報が、リソースのＣＲＩＤ(Content Reference Idenditier, CRID)を含むことを特徴とする拡張メタデータであることを特徴とする３０に記載の放送プログラムサービス提供装置。
【請求項３２】
前記リソースメタデータが、
上位セグメンテーションメタデータによって記述されるセグメントのビデオ個体情報を記述するビデオメタデータと、
上位セグメンテーションメタデータによって記述されるセグメントのオーディオ個体情報を記述するオーディオメタデータと、
上位セグメンテーションメタデータによって記述されるセグメントのテキスト個体情報を記述するテキストメタデータと、
上位セグメンテーションメタデータによって記述されるセグメントのイメージ個体情報を記述するイメージメタデータと、
上位セグメンテーションメタデータによって記述されるセグメントと関連したＨＴＭＬ(Hyper Text Markup language) 文書のＵＲＩ(Uniform Resource Identifier, URI)を含むＨＴＭＬメタデータ２１５と、
を含む拡張メタデータであることを特徴とする請求項３１に記載の放送プログラムサービス提供装置。
【請求項３３】
前記ビデオ個体情報が、前記セグメントのＣＲＩＤ、画面の大きさ、ファイルフォーマット、ファイルの大きさ、ビット率、色ドメイン、プログラムでのスタート位置またはビデオ区間情報を含み、
前記オーディオ個体情報が、前記セグメントのＣＲＩＤ、ファイルフォーマット、ファイルの大きさ、ビット率、サンプリング周波数、チャネル数、プログラムでのスタート位置またはオーディオ区間情報を含み、
前記テキスト個体情報が、ＣＲＩＤと言語種類情報とを含み、
前記イメージ個体情報が、前記セグメントのＣＲＩＤ、画面の大きさ、ファイルフォーマット、ファイルの大きさ、ビット率または色ドメイン情報を含むことを特徴とする拡張メタデータであることを特徴とする請求項３２に記載の放送プログラムサービス提供装置。
【請求項３４】
デジタル放送プログラムサービスを多様な形態の端末に提供するように拡張メタデータを用いた適応プログラムを提供するシステムに用いられる、個人プログラムサービス提供装置において、
前記プログラムと、前記拡張メタデータとを受信して格納する格納手段と、
前記端末条件と、ユーザ条件とを外部から送信され、プログラム条件を前記格納手段から送信されてこれを用いて前記適応プログラム提供に用いられるリソースを決定する個人プログラム分析手段と、
前記個人プログラム分析手段で決定したリソースを用いて前記適応プログラムを生成して提供する個人プログラム生成手段と
を含むことを特徴とする個人プログラムサービス提供装置。
【請求項３５】
前記拡張メタデータが、
前記プログラムを構成する重要セグメントに対する記述情報を含むセグメンテーションメタデータと、
前記プログラムを前記多様な形態の端末に適切に提供するように、前記セグメントの下位構成リソースに対する記述情報を含むリソース記述メタデータと、
を含む拡張メタデータであることを特徴とする請求項３４に記載の個人プログラムサービス提供装置。
【請求項３６】
前記リソース記述メタデータが、
前記下位構成リソースに対する一般情報を記述する情報を含むリソースメタデータと、
前記端末の使用条件情報と各条件に合う場面構成のために用いられるリソースタイプ情報を含むリソース構成メタデータと、
を含む拡張メタデータであることを特徴とする請求項３５に記載の個人プログラムサービス提供装置。
【請求項３７】
前記一般情報が、リソースの時/空間的な位置及び相互作用情報から分離された情報であることを特徴とする拡張メタデータであることを特徴とする請求項３６に記載の個人プログラムサービス提供装置。
【請求項３８】
前記端末の使用条件情報が、端末条件、プログラム条件と、ユーザ条件情報とを含む拡張メタデータであることを特徴とする請求項３７に記載の個人プログラムサービス提供装置。
【請求項３９】
前記リソースタイプ情報が、リソースのＣＲＩＤ(Content Reference Idenditier, CRID)を含むことを特徴とする拡張メタデータであることを特徴とする請求項３８に記載の個人プログラムサービス提供装置。
【請求項４０】
前記リソースメタデータが、
上位セグメンテーションメタデータによって記述されるセグメントのビデオ個体情報を記述するビデオメタデータと、
上位セグメンテーションメタデータによって記述されるセグメントのオーディオ個体情報を記述するオーディオメタデータと、
上位セグメンテーションメタデータによって記述されるセグメントのテキスト個体情報を記述するテキストメタデータと、
上位セグメンテーションメタデータによって記述されるセグメントのイメージ個体情報を記述するイメージメタデータと、
上位セグメンテーションメタデータによって記述されるセグメントと関連したＨＴＭＬ(Hyper Text Markup language) 文書のＵＲＩ(Uniform Resource Identifier, URI)を含む  ＨＴＭＬメタデータ２１５と、
を含む拡張メタデータであることを特徴とする請求項３９に記載の個人プログラムサービス提供装置。
【請求項４１】
前記ビデオ個体情報が、前記セグメントのＣＲＩＤ、画面の大きさ、ファイルフォーマット、ファイルの大きさ、ビット率、色ドメイン、プログラムでのスタート位置またはビデオ区間情報を含み、
前記オーディオ個体情報は前記セグメントのＣＲＩＤ、ファイルフォーマット、ファイルの大きさ、ビット率、サンプリング周波数、チャネル数、プログラムでのスタート位置またはオーディオ区間情報を含み、
前記テキスト個体情報が、ＣＲＩＤと言語種類情報を含み、
前記イメージ個体情報が、前記セグメントのＣＲＩＤ、画面の大きさ、ファイルフォーマット、ファイルの大きさ、ビット率または色ドメイン情報とを含む拡張メタデータであることを特徴とする請求項４０に記載の個人プログラムサービス提供装置。
【請求項４２】
デジタル放送プログラムサービスを多様な形態の端末に提供するように拡張メタデータを用いた適応プログラムを提供するシステムに用いられる、個人端末装置において、
前記拡張メタデータとを送信されて特定プログラムを検索し、前記個人端末装置の端末条件と、ユーザ条件情報を提供する制御手段と、
前記適応プログラムを送信されてこれを再生する再生手段と
を含むことを特徴とする個人端末装置。
【請求項４３】
前記拡張メタデータが、
前記プログラムを構成する重要セグメントに対する記述情報を含むセグメンテーションメタデータと、
前記プログラムを前記多様な形態の端末に適切に提供するように、前記セグメントの下位構成リソースに対する記述情報を含むリソース記述メタデータと、
を含む拡張メタデータであることを特徴とする請求項４２に記載の個人端末装置。
【請求項４４】
前記リソース記述メタデータが、
前記下位構成リソースに対する一般情報を記述する情報を含むリソースメタデータと、
前記端末の使用条件情報と各条件に合う場面構成のために用いられるリソースタイプ情報とを含むリソース構成メタデータと、
を含む拡張メタデータであることを特徴とする請求項４３に記載の個人端末装置。
【請求項４５】
前記一般情報が、リソースの時/空間的な位置及び相互作用情報から分離された情報であることを特徴とする拡張メタデータであることを特徴とする請求項４４に記載の個人端末装置。
【請求項４６】
前記端末の使用条件情報が、端末条件、プログラム条件と、ユーザ条件情報を含むことを特徴とする拡張メタデータであることを特徴とする請求項４５に記載の個人端末装置。
【請求項４７】
前記リソースタイプ情報が、リソースのＣＲＩＤ(Content Reference Idenditier, CRID)を含むことを特徴とする拡張メタデータであることを特徴とする請求項４６に記載の個人端末装置。
【請求項４８】
前記リソースメタデータが、
上位セグメンテーションメタデータによって記述されるセグメントのビデオ個体情報を記述するビデオメタデータと、
上位セグメンテーションメタデータによって記述されるセグメントのオーディオ個体情報を記述するオーディオメタデータと、
上位セグメンテーションメタデータによって記述されるセグメントのテキスト個体情報を記述するテキストメタデータと、
上位セグメンテーションメタデータによって記述されるセグメントのイメージ個体情報を記述するイメージメタデータと、
上位セグメンテーションメタデータによって記述されるセグメント等と関連したＨＴＭＬ(Hyper Text Markup language) 文書のＵＲＩ(Uniform Resource Identifier, URI)を含むＨＴＭＬメタデータ２１５と、
を含む拡張メタデータであることを特徴とする請求項４７に記載の個人端末装置
【請求項４９】
前記ビデオ個体情報は前記セグメントのＣＲＩＤ、画面の大きさ、ファイルフォーマット、ファイルの大きさ、ビット率、色ドメイン、プログラムでのスタート位置またはビデオ区間情報を含み、
前記オーディオ個体情報は前記セグメントのＣＲＩＤ、ファイルフォーマット、ファイルの大きさ、ビット率、サンプリング周波数、チャネル数、プログラムでのスタート位置またはオーディオ区間情報を含み、
前記テキスト個体情報はＣＲＩＤと言語種類情報を含み、
前記イメージ個体情報は前記セグメントのＣＲＩＤ、画面の大きさ、ファイルフォーマット、ファイルの大きさ、ビット率または色ドメイン情報と、
を含むことを特徴とする拡張メタデータであることを特徴とする請求項４８に記載の個人端末装置。
【請求項５０】
デジタル放送プログラムサービスを多様な形態の端末に提供するように拡張メタデータを用いた適応プログラムサービス提供方法において、
前記プログラムと、前記拡張メタデータとを提供する放送プログラムサービス提供ステップと、
前記放送プログラムサービス提供ステップで提供した前記プログラムと、前記拡張メタデータとを格納し、前記端末の条件に対応するリソースを用いて前記端末の使用条件に適切なプログラムを提供する個人プログラムサービス提供ステップと、
端末条件とユーザ条件を送信し、適応プログラムを送信されるための個人端末送信ステップと、
を含むことを特徴とする適応サービス提供方法。
【請求項５１】
前記個人プログラムサービス提供ステップが、
前記プログラムと、前記拡張メタデータとを受信して格納する格納ステップと、
前記端末条件と、ユーザ条件とを送信され、プログラム条件を送信されてこれを用いて前記適応プログラム提供に用いられるリソースを決定する個人プログラム分析ステップと、
前記個人プログラム分析ステップで決定したリソースを用いて前記適応プログラムを生成して前記端末に送信する個人プログラム生成ステップと、
を含むことを特徴とする請求項５０に記載の適応プログラムサービス提供方法。
【請求項５２】
前記個人端末送信ステップが、
前記拡張メタデータを送信されて特定プログラムを検索し、前記端末の端末条件と、ユーザ条件情報とを送信する制御ステップと、
前記適応プログラムを送信され、これを用いて再生する再生ステップと、
を含むことを特徴とする請求項５１に記載の適応プログラムサービス提供方法。
【請求項５３】
特定プログラムに接続した追加資料を前記端末装置に提供する追加資料提供ステップをさらに含むことを特徴とする請求項５２に記載の適応サービス提供方法。
【請求項５４】
前記拡張メタデータが、
前記プログラムを構成する重要セグメントに対する記述情報を含むセグメンテーションメタデータと、
前記プログラムを前記多様な形態の端末に適切に提供するように、前記セグメントの下位構成リソースに対する記述情報を含むリソース記述メタデータと、
を含む拡張メタデータであることを特徴とする請求項５３に記載の適応サービス提供方法。
【請求項５５】
前記リソース記述メタデータが、
前記下位構成リソースに対する一般情報を記述する情報を含むリソースメタデータと、
前記端末の使用条件情報と各条件に合う場面構成のために用いられるリソースタイプ情報を含むリソース構成メタデータと、
を含む拡張メタデータであることを特徴とする請求項５４に記載の適応サービス提供方法。
【請求項５６】
前記一般情報が、リソースの時/空間的な位置及び相互作用情報から分離された情報であることを特徴とする拡張メタデータであることを特徴とする請求項５５に記載の適応サービス提供方法。
【請求項５７】
前記端末の使用条件情報が、端末条件、プログラム条件と、ユーザ条件情報を含むことを特徴とする拡張メタデータであることを特徴とする請求項５６に記載の適応サービス提供方法。
【請求項５８】
前記リソースタイプ情報が、リソースのＣＲＩＤ(Content Reference Idenditier, CRID)を含むことを特徴とする拡張メタデータであることを特徴とする請求項５７に記載の適応サービス提供方法。
【請求項５９】
前記リソースメタデータが、
上位セグメンテーションメタデータによって記述されるセグメントのビデオ個体情報を記述するビデオメタデータと、
上位セグメンテーションメタデータによって記述されるセグメントのオーディオ個体情報を記述するオーディオメタデータと、
上位セグメンテーションメタデータによって記述されるセグメントのテキスト個体情報を記述するテキストメタデータと、
上位セグメンテーションメタデータによって記述されるセグメントのイメージ個体情報を記述するイメージメタデータと、
上位セグメンテーションメタデータによって記述されるセグメントと関連したＨＴＭＬ(Hyper Text Markup language) 文書のＵＲＩ(Uniform Resource Identifier, URI)を含むＨＴＭＬメタデータ２１５を含むことを特徴とする拡張メタデータであることを特徴とする請求項５８に記載の適応サービス提供方法。
【請求項６０】
前記ビデオ個体情報は前記セグメントのＣＲＩＤ、画面の大きさ、ファイルフォーマット、ファイルの大きさ、ビット率、色ドメイン、プログラムでのスタート位置またはビデオ区間情報を含み、
前記オーディオ個体情報は前記セグメントのＣＲＩＤ、ファイルフォーマット、ファイルの大きさ、ビット率、サンプリング周波数、チャネル数、プログラムでのスタート位置またはオーディオ区間情報を含み、
前記テキスト個体情報はＣＲＩＤと言語種類情報を含み、
前記イメージ個体情報は前記セグメントのＣＲＩＤ、画面の大きさ、ファイルフォーマット、ファイルの大きさ、ビット率または色ドメイン情報を含む拡張メタデータであることを特徴とする請求項５９に記載の適応サービス提供方法。
【発明の詳細な説明】
【技術分野】
【０００１】
本発明は、デジタル放送サービスを提供するのに用いられるメタデータのデータ構造と、これを用いてプログラムサービスを提供するシステム及びその方法と、当該方法を実現させるためのプログラムを記録したコンピュータで読み取ることができる記録媒体に関する。
【０００２】
さらに詳細には、放送プログラムサービス提供者がメタデータを用いて高画質/高容量のデジタル放送プログラムを多様な形態の個人端末に適切なプログラムを提供するようにするための、拡張されたメタデータのデータ構造とこれを用いて適応プログラムサービスを提供するシステム及びその方法と、当該方法を実現させるためのプログラムを記録したコンピュータで読み取ることができる記録媒体に関する。
【背景技術】
【０００３】
一般に、プログラムを消費するユーザは、プログラムを提供する提供者により、提供者のスケジュールによって一方的に提供されている放送番組またはコンテンツを用いてきていた。 
しかし、このような形態の放送番組またはコンテンツ提供方式は、多様なユーザの要求を受け入れることが難しかった。 すなわち、ユーザの大部分は、自分が好ましい方法で好ましい時間に多様な形態のプログラムを視聴することを好んでいる。 
ここで、プログラムとは、一般的に一連のコンテンツ集合を意味し、本明細書では個人用大容量格納装置(Personal Digital Recorder、 以下PDRとする。)において、１つの単位で獲得される一連のコンテンツ集合であり、例えば、「ＭＢＣ」 放送局で放送する「９時ニュースデスク」のようなものをいう。
【０００４】
このようなユーザの要求を充足させるために、「ＴＶ-Ａｎｙｔｉｍｅ」フォーラムは、全てのユーザがＰＤＲを基盤に自分が好ましい方法で好ましい時間に多様な形態のプログラムを視聴できるようにメタデータ構造の標準を画定して提供している。
【０００５】
上記「ＴＶ-Ａｎｙｔｉｍｅ」フォーラムとは、ＰＤＲを備えたユーザ環境において、オーディオビジュアル関連のサービス提供のための標準開発を目的に１９９９年９月に設立された民間標準機構である。
【０００６】
また、上記メタデータとは、プログラム題目、ジャンル、概要のようなコンテンツに対する説明的なデータを意味して、一般的には、データに関するデータ(data about data)として画定される。
【０００７】
以下では、従来の「ＴＶ-Ａｎｙｔｉｍｅ」フォーラム基盤のメタデータ構造を有するメタデータを従来のメタデータという。
【０００８】
図１は、従来のメタデータの構造図を示すものである。
【０００９】
図１に示しているように、従来のメタデータ１００の構造は、プログラムの位置に独立した一般情報を記述するコンテンツ記述メタデータ(Content Description Metadata)１１０、実際放送されるプログラム個体に対する情報を記述するインスタンス記述メタデータ(Instance Description Metadata)１２０、プログラムを構成する重要セグメントに対する情報を記述するセグメンテーションメタデータ(Segmentation Metadata)１３０から構成される。
【００１０】
ここで、セグメントとは、上述のプログラムに含まれた１つのコンテンツを連続して構成する単位であり、例えば、１つのニュースプログラムを構成するニューストピックスのようなものをいう。
【００１１】
コンテンツ記述メタデータ１１０は、放送プログラムの位置に独立した一般的な情報(たとえば、プログラム題目、ジャンル、あらすじ、登場人物の情報など)に対する記述情報を提供するプログラムメタデータ１１１、複数個のプログラムが構成するプログラム集合に対する情報を記述するプログラムグループメタデータ１１２から構成される。
【００１２】
また、インスタンス記述メタデータ１２０は、特定の放送イベント関連プログラムの位置及びサービス情報に対する記述情報を提供するプログラム位置メタデータ１２１から構成される。
【００１３】
また、セグメンテーションメタデータ１３０は、プログラムをセグメント単位に分割した後、様々な方面に再構成してコンテンツに対するハイライト、ブックマーク、イベント基盤のブラウジングなどの記述情報を提供するセグメントメタデータ１３１と、セグメント集合に対する情報を記述するセグメントグループメタデータ１３２とから構成される。
【００１４】
上で説明した従来のメタデータの構造は、従来のユーザ環境にセットトップボックスだけで構成された単一端末環境を考慮したものである。 このような環境において、デジタル放送サービスを提供するためには、セットトップボックスの条件(ＣＰＵ処理速度、画面の大きさ、格納媒体容量など)に合うプログラム及びメタデータを提供することだけが考慮の対象であった。
【００１５】
しかし、ユーザ環境は上記のような従来の単一端末環境からラップトップコンピュータ、ＰＤＡ(Personal Digital Assitant, PDA)、ＭＰ３プレーヤ、ホームシアタ(Home theater)、ＤＶＤプレーヤ、ゲームコンソール、デジタルカメラなどのような多様な形態の複数端末が、有/無線のホームネットワーク上に接続されている多様な形態の端末環境で変化する傾向がある。
【００１６】
したがって、従来のメタデータだけを用いたデジタル放送サービスでは、上記のような変化の傾向に相応し、個別端末の条件によって適応放送プログラム及びメタデータとを提供しなければならないという多様な要求を解決できない。
【００１７】
例えば、画面の大きさが小さいＰＤＡのためには、セットトップボックスで提供した映像を縮小して提供しなければならず、映像処理が不可能なＭＰ３プレーヤのためには、動映像プログラムで音声だけを抽出して提供しなければならない。 
このように多様な形態の端末に適応プログラム及びメタデータを提供するという目標は、プログラムの単純な変形(Transforming)やデータ重複性を用いたデータ削除(Dropping)などのように単純にプログラム容量を減らすという消極的な方法では達成できない。
【００１８】
したがって、多様な形態の端末の使用条件によって、プログラム及びメタデータ消費画面を適応するように再構成する能動的な方法が必要となる。
【００１９】
また、再構成された場面をユーザ端末に記述するための従来の場面記述言語(SMIL(Synchronized Multimedia Integration Language)、ＸＭＴ(Extensible MPEG-4 Textual Format)など)では、場面を構成するリソース関連情報を、場面上でのリソースの時/空間的な位置及び相互作用情報と共に管理する特徴を有していた。
【００２０】
しかし、このような管理方式では、多様な形態の端末のために複数の場面を提供するように反復して用いられるリソース関連情報の再使用が難しいという問題が発生する。
【００２１】
ここで、リソースとは、１つのセグメントを構成するＡＶ(Audio visual，AV) オブジェクト(例えば、ビデオ、オーディオ、イメージ、テキストなど)を言う。
【００２２】
また、場面を構成するリソース選別過程のために、それぞれの個人プログラムサービス提供者がそれに対応する特定端末の使用条件(端末、プログラム、ユーザ)などの組み合せと個別の組み合せに合うリソース情報を独立して管理するようになると情報を重複格納するようになるため、格納装置の浪費を招くもう１つの問題が生じる。 
したがって、ホームネットワーク上の多様な形態の端末環境のために適応デジタル放送サービスを提供するためには、多様な形態の個人端末の全ての条件(端末、プログラム、ユーザ)などの組み合せと個別の組み合せに合うリソース情報の統合管理、そして、時/空間的な位置情報と分離されたリソース関連情報の単独管理を用いた個別端末に適応する場面再構成の法案が要求される。
【発明の開示】
【発明が解決しようとする課題】
【００２３】
そこで、本発明は、上記のような問題点を解決するためになされたものであって、その目的は、ホームネットワーク上の多様な形態の端末環境のために適応デジタル放送サービスを提供するために、多様な形態の個人端末条件などの組み合せと個別の組み合せに合うリソース情報の統合管理、そして、時/空間的な位置情報と分離されたリソース関連情報の単独管理を提供することによって個別端末に適切に場面再構成することができる拡張されたメタデータのデータ構造を提供することにある。
【００２４】
また、本発明の他の目的は、ホームネットワーク上の多様な形態の端末環境のために適応デジタル放送サービスを提供するために、上記拡張されたメタデータを用いて適応プログラムサービスを提供するシステム及びその方法を提供することにある。
【００２５】
また、本発明の他のもう１つの目的は、ホームネットワーク上の多様な形態の端末環境のために適応デジタル放送サービスを提供するために、上記拡張されたメタデータを用いて適応プログラムサービスを提供する機能を実現させるためのプログラムを記録したコンピュータが読み取り可能な記録媒体を提供することにある。
【課題を解決するための手段】
【００２６】
上記の目的を達成するために本発明のデータ構造は、デジタル放送プログラムサービスを多様な形態の端末に提供するための拡張メタデータのデータ構造において、
前記プログラムを構成する重要セグメントに対する記述情報を含むセグメンテーションメタデータと、前記プログラムを前記多様な形態の端末に適切に提供するように、前記セグメントの下位構成リソースに対する記述情報を含むリソース記述メタデータとを含むことを特徴とする。
【００２７】
一方、上記の目的を達成するために本発明のシステムは、デジタル放送プログラムサービスを多様な形態の端末に提供するように拡張メタデータを用いた適応プログラムサービス提供システムにおいて、前記プログラムと、前記拡張メタデータを提供する放送プログラムサービス提供と、手段前記放送プログラムサービス提供手段で送信した前記プログラム、前記拡張メタデータとを格納して、前記端末の条件に対応するリソースを用いて前記端末の使用条件に適切なプログラムを提供する個人プログラムサービス提供手段と、前記個人プログラムサービス提供手段で端末条件とユーザ条件とを送信し、前記個人プログラムサービス提供手段から適応プログラムを送信されるための個人端末制御/再生手段とを含むことを特徴とする。
【００２８】
一方、上記の目的を達成するために本発明の放送プログラムサービス提供装置は、デジタル放送プログラムサービスを多様な形態の端末に提供するように拡張メタデータを用いた適応プログラムを提供するシステムに用いられる、放送プログラムサービス提供装置において、前記プログラム、前記拡張メタデータとを提供する放送プログラム提供手段を含むことを特徴とする。
【００２９】
一方、上記の目的を達成するために本発明の個人プログラムサービス提供装置は、デジタル放送プログラムサービスを多様な形態の端末に提供するように拡張メタデータを用いた適応プログラムを提供するシステムに用いられる、個人プログラムサービス提供装置において、前記プログラム、前記拡張メタデータとを受信して格納する格納手段と、前記端末条件と、ユーザ条件を外部から送信されてプログラム条件を前記格納手段から送信されてこれを用いて前記適応プログラム提供に用いられるリソースを決定する個人プログラム分析手段と、前記個人プログラム分析手段で決定したリソースを用いて前記適応プログラムを生成して提供する個人プログラム生成手段とを含むことを特徴とする。
【００３０】
一方、上記の目的を達成するために本発明の個人端末装置は、デジタル放送プログラムサービスを多様な形態の端末に提供するように拡張メタデータを用いた適応プログラムを提供するシステムに用いられる、個人端末装置において、前記拡張メタデータを送信されて特定プログラムを検索して前記個人端末装置の端末条件、ユーザ条件情報とを提供する制御手段と、前記適応プログラムを送信されてこれを再生する再生手段とを含むことを特徴とする。
【００３１】
一方、上記の目的を達成するために本発明の方法は、デジタル放送プログラムサービスを多様な形態の端末に提供するように拡張メタデータを用いた適応プログラムサービス提供方法において、前記プログラム、前記拡張メタデータとを提供する放送プログラムサービス提供ステップと、前記放送プログラムサービス提供ステップで提供した前記プログラム、前記拡張メタデータとを格納して、前記端末の条件に対応するリソースを用いて前記端末の使用条件に適切なプログラムを提供する個人プログラムサービス提供ステップと、端末条件とユーザ条件を送信し、適応プログラムを送信されるための個人端末送信ステップとを含むことを特徴とする。  
一方、上記の目的を達成するために本発明は、デジタル放送プログラムサービスを多様な形態の端末に提供するように拡張メタデータを用いた適応プログラムサービス提供システムに、前記プログラム、前記拡張メタデータとを提供する放送プログラムサービス提供機能と、前記放送プログラムサービス提供ステップで提供した前記プログラム、前記拡張メタデータとを格納して、前記端末の条件に対応するリソースを用いて前記端末の使用条件に適切なプログラムを提供する個人プログラムサービス提供機能と、端末条件とユーザ条件を送信し、適応プログラムを送信されるための個人端末送信機能を実現させるためのプログラムを記録したコンピュータで読み取ることができる記録媒体を提供する。
【発明を実施するための最良の形態】
【００３２】
上述した目的、特徴及び長所などは、添付された図面と関連した次の詳細な説明を通してより明確になるだろう。まず、各図面の構成要素などに参照番号を付することにおいて、同じ構成要素などに限っては、例え、異なる図面上に表示されても、できるだけ同じ番号を持つようにしていることに留意しなければならない。以下、添付された図面を参照して本発明に係る好ましい実施例を詳細に説明する。
【００３３】
図２は、本発明に係る拡張メタデータの一実施の形態の構造図である。
【００３４】
図２に示しているように、本発明に係る拡張されたメタデータの構造は、従来のメタデータ１００の構造にリソース記述メタデータ２０１を追加して拡張した構造である。以下、従来のメタデータの構造に本発明で提案するリソース記述メタデータ２０１を追加した構造を含むメタデータを拡張メタデータ２００という。
【００３５】
リソース記述メタデータ２０１は、プログラムを構成する重要セグメントの下位構成リソースを記述するものであって、リソースメタデータ２１０とリソース構成メタデータ２２０とを含む。 
リソースメタデータ２１０は、プログラムを構成する重要セグメントの下位構成リソース(例えば 、ＡＶオブジェクト、キーフレーム、キーワード、関連ＨＴＭＬ(Hyper text markup language、以下、Htmlとする。)文書など)に対する一般記述情報(例えば、ＩＤ(Identifier、以下、IDとする。)、ロケータ(Locator)、映像の大きさ、容量など)とを含む。
【００３６】
また、リソース構成メタデータ２２０は、個人端末の環境、例えば、端末、プログラム、ユーザ)情報と上記条件に適合した場面構成のために用いられるリソースタイプ情報を含む。
【００３７】
さらに詳細には、リソースメタデータ２１０は、上記したセグメンテーションメタデータ１３０が記述するプログラムの重要セグメントを構成する下位リソースに対する個別情報を記述するメタデータなどの抽象化(abstract)タイプであり、リソースの物理的な位置に独立した識別子であるＣＲＩＤ(Content Reference Identifier，CRID以下、CRIDとする。)を含む。
【００３８】
また、リソースメタデータ２１０は、上位セグメンテーションメタデータ１３０によって記述されるセグメントのビデオ個体情報を記述するものであって、上記セグメントのＣＲＩＤ、画面大きさ(aspect ratio)、ファイルフォーマット、ファイルの大きさ、ビット率(Bit rate)、色ドメイン、プログラムでのスタート位置(start point)、またはビデオ区間情報を含むビデオメタデータ２１１と、上位セグメンテーションメタデータ１３０によって記述されるセグメントのオーディオ個体情報を記述するものであって、ＣＲＩＤ、ファイルフォーマット、ファイルの大きさ、ビット率、サンプリング周波数、チャネル数、プログラムでのスタート位置またはオーディオ区間情報を含むオーディオメタデータ２１２と、上位セグメンテーションメタデータ１３０によって記述されるセグメントのテキスト個体(キーワード、シノプシスなど)情報を記述するものであって、ＣＲＩＤと言語種類(Language type)情報を含むテキストメタデータ２１３と、上位セグメンテーションメタデータ１３０によって記述されるセグメントのイメージ個体情報を記述するものであって、ＣＲＩＤ、画面の大きさ、ファイルフォーマット、ファイルの大きさ、ビット率または色ドメイン情報を含むイメージメタデータ２１４と、上位セグメンテーションメタデータ１３０によって記述されるセグメントなどと関連したＨｔｍｌ文書のＵＲＩ(Uniform Resource Identifier、以下URIとする。)を含むＨｔｍｌメタデータ２１５とを含む。ここで、上記ＵＲＩは、個人端末の画面の大きさに合う適応Ｈｔｍｌ(Adaptive Html)文書を提供する物理的なディレクトリ位置を示す情報である。
【００３９】
一方、リソース構成メタデータ２２０は、上記個人端末の使用条件情報と上記条件とに合う場面構成のために用いられるリソースに対するＣＲＩＤ情報を含む。
【００４０】
すなわち、リソース構成メタデータ２２０は、各個人端末の条件別フィールド(端末条件フィールド、プログラム条件フィールド、ユーザ条件フィールド)と、これらフィールド値が組み合わせられた環境を有する各個人端末のための適切な場面構成に用いられるリソースなどのＣＲＩＤを有するフィールドとを含む。ただし、リソース構成メタデータ２２０で考慮する上記リソースは、リソースメタデータ２１０で記述するリソースに限定される。
【００４１】
個別端末の放送プログラム及びメタデータ消費画面(場面)は、場面を構成するＡＶオブジェクト、上記場面上で上記ＡＶオブジェクトなどの時/空間的な位置情報と、相互作用情報で表現され得る。
【００４２】
したがって個人プログラムサービスで個別端末に適切な場面を提供するための場面再構成過程は、個人端末の条件に合う場面構成ＡＶオブジェクトを選別する第１ステップ、選別されたＡＶオブジェクトの記述情報を獲得する第２ステップと、選択された場面記述言語を用いて場面を記述する第３ステップとから構成される。
【００４３】
ここで、上記場面再構成過程は、本発明によってリソースメタデータ２１０とリソース構成メタデータ２２０とを用いることによって、リソース構成メタデータ２２０を参照して個人端末の条件に合う場面構成リソースを選別する第ａステップ、選別したリソースの記述情報をリソースメタデータ２１０から獲得する第ｂステップ及び場面記述言語でリソースと場面上で、これらの時/空間的な位置情報及び相互作用情報を記述する第ｃステップとから構成して説明される。
【００４４】
したがって、上記場面再構成過程において、リソースメタデータ２１０を用いて場面を構成するリソース情報を場面記述情報(ＡＶオブジェクトの時/空間的な位置及び相互作用情報)と分離、独立して管理することによって、多様な形態の個人端末に様々な場面を提供することにおいて、反復して用いられるリソース情報を不必要に再生産する過程を除去または減らすことができる。
【００４５】
また、リソース構成メタデータ２２０を用いて、個別端末の条件別に使用可能なリソースの種類に対する情報を提供することによって、上記第１ステップで毎回行わなければならない端末条件を組み合せ、各組み合せ別リソースを選択する複雑な過程を単純化できる。
【００４６】
図３は、本発明に係る拡張メタデータを用いた適応プログラムサービス提供システムの一実施の形態の構成図である。
【００４７】
図３に示しているように、適応プログラムサービス提供システムは、複数の放送プログラムサービス提供装置３１０、放送プログラムサービス提供装置から送信される放送プログラム及び拡張メタデータを受信して格納、管理してプログラム及びメタデータを個人端末に適切に提供する個人プログラムサービス提供装置３２０、上記個人プログラムサービス提供装置３２０、家庭内ホームネットワーク網(図示せず)とに接続され、制約的システムリソース(例えば、ＣＰＵ処理速度、画面の大きさ、格納媒体容量)を有する多様な形態の個人端末３３０と、特定プログラムに接続した追加資料を提供する外部のリターンチャネルサーバ３４０とを含む。
【００４８】
個人プログラムサービス提供装置３２０は、位置独立的なシステムであり、例えば、家庭内放送サービス送/受信を担当するセットトップボックスであったり、外部に位置する別途のサーバであり得る。
【００４９】
放送プログラムサービス提供装置３１０は、放送プログラムと共に拡張メタデータを送信して個人プログラムサービス提供装置に提供する。個人プログラムサービス提供装置３２０は、これを受信して格納部３２１に格納、管理する。そして、ホームネットワーク上に接続している個人端末３３０から高画質の放送プログラムとメタデータ視聴要請がある場合、内部の個人プログラム分析部３２２を動作させる。
【００５０】
個人プログラム分析部３２２は、格納部３２１のプログラム条件、そして、個人端末の制御部３３２が送ってくる端末、ユーザ条件情報を用いて格納部３２１のリソース構成メタデータを検索して該当条件を有する個人端末３３０のための適切な場面を構成するのに用いられるリソースなどの種類であるリソース構成タイプ(Resource Composition Type)を決定する。
【００５１】
決定されたリソース構成タイプ情報は、個人プログラム生成部３２３に伝えられて、それと同時に格納部３２１からリソース構成タイプが指定(場面を構成するリソースなどの種類)するリソースなどのリソースメタデータとプログラムを受け取る。すると、個人プログラム生成部３２３は、リソースメタデータから場面を構成するリソースに対する情報を獲得し、場面記述言語を用いて個別端末に適切な場面情報を有する場面記述文書を生成する。
【００５２】
このように、個人プログラムサービス提供装置３２０によって生成された場面記述文書と新しく生成された適切な場面に用いられるリソースは、家庭内ホームネットワーク網を通して個人端末に送信される。すると、個人端末３３０の再生部３３１は送信された場面記述文書をパッシング(parsing)した後、プログラムリソースを用いて該当端末に適切な場面をディスプレーする。
【００５３】
また、個人端末３３０の適切な場面ユーザは、場面視聴の中の場面を構成する１つのプログラムリソースである、プログラム関連追加資料(material、例えば Html文書)を外部のリターンチャネルサーバ３４０に要請し、個人端末３３０の端末画面に適応Ｈｔｍｌ(Adaptive Html)文書を受け取ることができる。
【００５４】
図４は、本発明に係る適応プログラムサービス提供方法に対する一実施の形態フローチャートであり、拡張メタデータを用いた適応プログラムサービス提供システムの動作図である。
【００５５】
各ステップ別の動作の流れは以下の通りである。
【００５６】
生成(Create)
放送プログラムサービス提供装置は、外部システムであるプログラム生成装置４８０から新しいプログラムと上記プログラムとを記述する従来のメタデータを提供 される。ここで、プログラム生成装置４８０は、映画スタジオやエンターテイメント会社のようなプログラムプロデューサを含み、プログラム生成装置４８０は、上記プログラムプロデューサにおいて上記プログラムと従来のメタデータとを生成して送信する装置である。
【００５７】
公示(Publish)
放送プログラムサービス提供装置３１０は、従来のメタデータにリソースメタデータ及びリソースメタデータを生成、追加して拡張メタデータを生成する。
【００５８】
また、プログラム及びメタデータを再組み合せ(repacking)してプログラム放送などを担当し、放送サービスの初期ステップでプログラムを参照するＣＲＩＤ、コンテンツ記述メタデータ及びインスタンス記述メタデータ及びプログラムを獲得できる時間と物理的位置情報を有する位置決定データ(Location Resolution Data)を公示する。
【００５９】
公示されたＣＲＩＤ、コンテンツ記述メタデータ及びインスタンス記述メタデータは、個人プログラムサービス提供装置３２０の第１検索/ナビゲーションモジュール４１０に、位置決定データは個人プログラムサービス提供装置３２０の位置決定モジュール４２０に伝えられる。
【００６０】
次いで、個人プログラムサービス提供装置３２０は、コンテンツ記述メタデータとインスタンス記述メタデータの一部とをネットワークを通して接続された個人端末３３０の第２検索/ナビゲーションモジュール４５０に伝える。
【００６１】
検索(Search)
個人端末の第２検索/ナビゲーションモジュール４５０は、コンテンツ記述メタデータとインスタンス記述メタデータとを用いて電子プログラムガイド(Electronic Program Guide、以下、EPGとする。)をレンダリングし、第２ユーザ相互作用モジュール４６０の制御部３３２は、視聴するプログラムを選択するためにＥＰＧを検索する。
【００６２】
選択(Select)
第２ユーザ相互作用モジュール４６０の制御部３３２が、ＥＰＧ上では好ましいプログラムを選択すると、第２検索/ナビゲーションモジュール４５０は、選択されたプログラムに該当するＣＲＩＤをユーザに知らせる。すると、制御部３３２は選択したプログラムのＣＲＩＤと個人端末、ユーザ条件を個人プログラムサービス提供装置３２０の第１ユーザ相互作用モジュール４４０に伝える。
【００６３】
位置(Locate)
個人プログラムサービス提供装置３２０の第２ユーザ相互作用モジュール４６０は、受け取ったプログラムのＣＲＩＤを位置決定モジュール４２０に伝え、プログラムの物理的な位置(locators)情報を受け取る。
【００６４】
獲得(Acquire) 
個人プログラムサービス提供装置３２０は、伝えられた物理的な位置のうち、ある１つを選択し、放送プログラムサービス提供装置３１０からプログラム、プログラムのセグメントメタデータ(Segmentation Metadata)、そして、リソースメタデータ及びリソース構成メタデータ２２０とを獲得して格納媒体管理モジュール４３０に格納する。
【００６５】
場面のためのリソース構成タイプ決定(Resource Composition Type Decision)
第２ユーザ相互作用モジュール４６０の個人プログラム分析部３２２は、格納媒体管理モジュール４３０からプログラム条件とプログラムのセグメンテーションメタデータ、リソース構成メタデータを受け取る。
【００６６】
次いで、個人プログラム分析部３２２は、伝えられたプログラム条件と、選択ステップで個人端末３３０から伝えられた端末条件と、ユーザ条件で、格納媒体管理モジュール４３０のリソース構成メタデータを検索し、該当条件を有する個人端末３３０のための適切な場面構成に用いられるリソースなどの種類であるリソース構成タイプ(Resource Composition Type)を決定する。
【００６７】
場面記述文書 生成(Scene Description Generation)  
決定されたリソース構成タイプ情報は、個人プログラム生成部３２３に伝えられ、それと同時に格納媒体管理モジュール４３０からリソース構成タイプが指定(場面を構成するリソースなどの種類)するリソースなどのリソースメタデータとプログラムを受け取る。 
すると、個人プログラム生成部３２３は、リソースメタデータから場面を構成するリソースに対する情報を獲得し、場面記述言語でこれらの時/空間的な位置及び相互作用情報を記述し、個人端末３３０に適切な場面を記述する場面記述文書を生成する。 
送信(Home Networking)  
個人プログラムサービス提供装置３２０の個人プログラム生成部３２３によって 生成された場面記述文書と場面を構成するプログラムリソースとは、家庭内ホームネットワーク網を通して個人端末３３０の第２ユーザ相互作用モジュール４６０に送信される。
【００６８】
視聴(View)  
第２ユーザ相互作用モジュール４６０の再生部３３１は、場面記述文書をパッシングし、関連プログラムリソースを用いてプログラム消費画面(場面)を第２ユーザ相互作用モジュール４６０に提供してユーザが視聴できるようにする。  
また、場面視聴の中にユーザは、場面と関連した追加資料(material、例えば Ｈｔｍｌ文書)を外部のリターンチャネルサーバ３４０に要請し、リターンチャネルサーバ３４０の第２格納媒体管理モジュール４７０から端末場面の大きさに合う適応Ｈｔｍｌ文書を受け取ることができる。
【００６９】
終了(Finishing)  
個人端末３３０のプログラム視聴後、個人端末３３０のプログラム使用の内訳に履歴情報である消費履歴(Usage History)情報を格納し、これを基にユーザの選好度に対する情報を取り出す。
【００７０】
上述のように、本発明の方法はプログラムで具現され、コンピュータで読み取ることができる記録媒体(CD-ROM、ラム、ロム、フロッピーディスク、ハードディスク、光子器 ディスクなど)に格納される。
【００７１】
上述の説明のように、本発明は、場面を構成するＡＶオブジェクト情報を時/空間的な位置及び相互作用情報から分離してリソースメタデータで管理することによって、複数個人端末のための複数の場面提供において、反復して用いられるリソース情報の不必要な再生産過程をなくし、効率的で一貫した情報管理ができるという効果を得ることができる。
【００７２】
また、プログラムを構成する下位リソースに対する情報(リソースメタデータ)と共に条件によって選択できるリソースの種類に対する情報をリソース構成メタデータで管理することによって、条件などの組み合せによる複雑なリソース選択過程を単純化できるという効果があることが分かる。
【００７３】
一方、本発明は従来のメタデータ構造を拡張することによって、ホームネットワーク上の複数端末環境のための適応デジタル放送サービス提供のために個人端末の全ての条件(端末、プログラム、ユーザ)などの組み合せと個別の組み合せに合うリソース情報を統合管理し、時/空間的な位置情報と分離されたリソース関連情報を単独して管理することによって、用いた個別端末に適切な場面を効果的に再構成できるという効果があることが分かる。
【００７４】
一方、本発明は、従来のメタデータ構造を拡張した拡張メタデータを用いて個人プログラムサービスを提供することによって、従来の単純なプログラム変形(Transforming)やデータ重複性を用いたデータ削除(Dropping)などの消極的方法を使用せず、端末、プログラム、ユーザ条件などによって個別端末の放送プログラム及びメタデータ消費画面(場面)を適切に再構成する能動的方法を用いることができるという効果があることが分かる。
【００７５】
尚、本発明は、上記した本実施の形態に限られるものではなく、本発明の技術的思想から逸脱しない範囲内で多様に変更が可能であり、それらも本発明の技術的範囲に属する。
【図面の簡単な説明】
【００７６】
【図１】従来のメタデータの構造図である。
【図２】本発明に係る拡張メタデータの一実施の形態の構造図である。
【図３】本発明に係る拡張メタデータを用いた個人プログラムサービス提供システムの一実施の形態の構成図である。
【図４】本発明に係る拡張メタデータを用いた個人プログラムサービス提供方法に対する一実施の形態のフローチャートである。
【図１】
2007520900.tif 000003
【図２】
2007520900.tif 000004
【図３】
2007520900.tif 000005
【図４】
2007520900.tif 000006
【手続補正書】
【提出日】平成19年3月13日(2007.3.13)
【手続補正１】
【補正対象書類名】特許請求の範囲
【補正対象項目名】全文
【補正方法】変更
【補正の内容】
【特許請求の範囲】
【請求項１】
デジタル放送プログラムサービスを多様な形態の端末に適応的に提供するための拡張メタデータにおいて、
前記プログラムに含まれたコンテンツを適応的に構成するリソースに対する一般情報を記述するメタデータを含むリソースメタデータと、
前記端末の使用条件情報と前記条件に合う場面構成のために用いられるリソースの識別子であるＣＲＩＤ（Ｃｏｎｔｅｎｔ  Ｒｅｆｅｒｅｎｃｅ  Ｉｄｅｎｔｉｆｉｅｒ）とを含むリソース構成メタデータと、
を含むことを特徴とする拡張メタデータ。
【請求項２】
前記コンテンツを適応的に構成するリソースに対する一般情報が、
前記リソースの時／空間的な位置及び相互作用情報から分離された情報であることを特徴とする請求項１に記載の拡張メタデータ。
【請求項３】
前記端末の使用条件情報が、
端末条件、プログラム条件、及びユーザ条件情報を含むことを特徴とする請求項１に記載の拡張メタデータ。
【請求項４】
前記リソースメタデータが、
前記コンテンツのビデオ個体情報を記述するビデオメタデータを含むことを特徴とする請求項１に記載の拡張メタデータ。
【請求項５】
前記ビデオ個体情報が、
前記コンテンツのＣＲＩＤ、画面の大きさ、ファイルフォーマット、ファイルの大きさ、ビット率、色フォーマット、プログラムでのスタート位置またはビデオ区間情報を含むことを特徴とする請求項４に記載の拡張メタデータ。
【請求項６】
前記リソースメタデータが、
前記コンテンツのオーディオ個体情報を記述するオーディオメタデータを含むことを特徴とする請求項１に記載の拡張メタデータ。
【請求項７】
前記オーディオ個体情報が、
前記コンテンツのＣＲＩＤ、ファイルフォーマット、ファイルの大きさ、ビット率、チャネル数、プログラムでのスタート位置またはオーディオ区間情報を含むことを特徴とする請求項６に記載の拡張メタデータ。
【請求項８】
前記リソースメタデータが、
前記コンテンツのテキスト個体情報を記述するテキストメタデータを含むことを特徴とする請求項１に記載の拡張メタデータ。
【請求項９】
前記テキスト個体情報が、
ＣＲＩＤと言語種類情報とを含むことを特徴とする請求項８に記載の拡張メタデータ。
【請求項１０】
前記リソースメタデータが、
前記コンテンツのイメージ個体情報を記述するイメージメタデータを含むことを特徴とする請求項１に記載の拡張メタデータ。
【請求項１１】
前記イメージ個体情報が、
前記コンテンツのＣＲＩＤ、画面の大きさ、ファイルフォーマット、ファイルの大きさ情報を含むことを特徴とする請求項１０に記載の拡張メタデータ。
【請求項１２】
デジタル放送プログラムサービスを多様な形態の端末に提供するように拡張メタデータを用いた適応プログラムサービス提供システムにおいて、
前記プログラムと前記拡張メタデータとを提供する放送プログラムサービス提供手段と、
前記放送プログラムサービス提供手段で送信した前記プログラムと前記拡張メタデータとを格納し、前記端末の条件に対応するリソースを用いて前記端末の使用条件に適応プログラムを提供する個人プログラムサービス提供手段と、
前記個人プログラムサービス提供手段で端末条件とユーザ条件とを送信し、前記個人プログラムサービス提供手段から適応プログラムが送信されるための個人端末制御／再生手段と、
を含むことを特徴とする適応プログラムサービス提供システム。
【請求項１３】
前記個人プログラムサービス提供手段が、
前記プログラムと前記拡張メタデータとを受信して格納する格納手段と、
前記端末条件とユーザ条件とが前記個人端末制御／再生手段から送信され、プログラム条件が前記格納手段から送信されてこれを用いて前記適応プログラムの提供に用いられるリソースを決定する個人プログラム分析手段と、
前記個人プログラム分析手段で決定したリソースを用いて前記適応プログラムを生成して前記個人端末制御／再生手段に送信する個人プログラム生成手段と、
を含むことを特徴とする請求項１２に記載の適応プログラムサービス提供システム。
【請求項１４】
前記個人端末制御／再生手段が、
前記個人プログラムサービス提供手段から前記拡張メタデータが送信されて特定プログラムを検索し、前記個人端末の端末条件とユーザ条件情報とを前記個人プログラムサービス提供手段に送信する制御手段と、
前記適応プログラムが前記個人プログラムサービス提供手段から送信され、これを用いて再生する再生手段と、
を含むことを特徴とする請求項１３に記載の適応プログラムサービス提供システム。
【請求項１５】
前記拡張メタデータが、
前記プログラムに含まれたコンテンツを適応的に構成するリソースに対する一般情報を記述するメタデータを含むリソースメタデータと、
前記端末の使用条件情報と前記条件に合う場面構成のために用いられるリソースの識別子であるＣＲＩＤ（Ｃｏｎｔｅｎｔ  Ｒｅｆｅｒｅｎｃｅ  Ｉｄｅｎｔｉｆｉｅｒ）とを含むリソース構成メタデータと、
を含むことを特徴とする請求項１２〜１４のいずれか１項に記載の適応プログラムサービス提供システム。
【請求項１６】
前記コンテンツを適応的に構成するリソースに対する一般情報が、
前記リソースの時／空間的な位置及び相互作用情報から分離された情報であることを特徴とする請求項１５に記載の適応プログラムサービス提供システム。
【請求項１７】
前記端末の使用条件情報が、
端末条件、プログラム条件、及びユーザ条件情報を含むことを特徴とする請求項１５に記載の適応プログラムサービス提供システム。
【請求項１８】
前記リソースメタデータが、
前記コンテンツのビデオ個体情報を記述するビデオメタデータを含むことを特徴とする請求項１５に記載の適応プログラムサービス提供システム。
【請求項１９】
前記ビデオ個体情報が、
前記コンテンツのＣＲＩＤ、画面の大きさ、ファイルフォーマット、ファイルの大きさ、ビット率、色フォーマット、プログラムでのスタート位置またはビデオ区間情報を含むことを特徴とする請求項１８に記載の適応プログラムサービス提供システム。
【請求項２０】
前記リソースメタデータが、
前記コンテンツのオーディオ固体情報を記述するオーディオメタデータを含むことを特徴とする請求項１５に記載の適応プログラムサービス提供システム。
【請求項２１】
前記オーディオ個体情報が、
前記コンテンツのＣＲＩＤ、ファイルフォーマット、ファイルの大きさ、ビット率、チャネル数、プログラムでのスタート位置またはオーディオ区間情報を含むことを特徴とする請求項２０に記載の適応プログラムサービス提供システム。
【請求項２２】
前記リソースメタデータが、
前記コンテンツのテキスト固体情報を記述するテキストメタデータを含むことを特徴とする請求項１５に記載の適応プログラムサービス提供システム。
【請求項２３】
前記テキスト個体情報が、
ＣＲＩＤと言語種類情報とを含むことを特徴とする請求項２２に記載の適応プログラムサービス提供システム。
【請求項２４】
前記リソースメタデータが、
前記コンテンツのイメージ固体情報を記述するイメージメタデータを含むことを特徴とする請求項１５に記載の適応プログラムサービス提供システム。
【請求項２５】
前記イメージ個体情報が、
前記コンテンツのＣＲＩＤ、画面の大きさ、ファイルフォーマット、ファイルの大きさ情報を含むことを特徴とする請求項２４に記載の適応プログラムサービス提供システム。
【請求項２６】
デジタル放送プログラムサービスを多様な形態の端末に提供するように拡張メタデータを用いた適応プログラムを提供するシステムに用いられる、放送プログラムサービス提供装置において、
前記プログラムと前記拡張メタデータとを提供する放送プログラム提供手段を含むことを特徴とする放送プログラムサービス提供装置。
【請求項２７】
前記拡張メタデータが、
前記プログラムに含まれたコンテンツを適応的に構成するリソースに対する一般情報を記述するメタデータを含むリソースメタデータと、
前記端末の使用条件情報と前記条件に合う場面構成のために用いられるリソースの識別子であるＣＲＩＤ（Ｃｏｎｔｅｎｔ  Ｒｅｆｅｒｅｎｃｅ  Ｉｄｅｎｔｉｆｉｅｒ）とを含むリソース構成メタデータと、
を含むことを特徴とする請求項２６に記載の放送プログラムサービス提供装置。
【請求項２８】
前記コンテンツを適応的に構成するリソースに対する一般情報が、
前記リソースの時／空間的な位置及び相互作用情報から分離された情報であることを特徴とする請求項２７に記載の放送プログラムサービス提供装置。
【請求項２９】
前記端末の使用条件情報が、
端末条件、プログラム条件、及びユーザ条件情報を含むことを特徴とする請求項２７に記載の放送プログラムサービス提供装置。
【請求項３０】
前記リソースメタデータが、
前記コンテンツのビデオ個体情報を記述するビデオメタデータを含むことを特徴とする請求項２７に記載の放送プログラムサービス提供装置。
【請求項３１】
前記ビデオ個体情報が、
前記コンテンツのＣＲＩＤ、画面の大きさ、ファイルフォーマット、ファイルの大きさ、ビット率、色フォーマット、プログラムでのスタート位置またはビデオ区間情報を含むことを特徴とする請求項３０に記載の放送プログラムサービス提供装置。
【請求項３２】
前記リソースメタデータが、
前記コンテンツのオーディオ固体情報を記述するオーディオメタデータを含むことを特徴とする請求項２７に記載の放送プログラムサービス提供装置。
【請求項３３】
前記オーディオ個体情報が、
前記コンテンツのＣＲＩＤ、ファイルフォーマット、ファイルの大きさ、ビット率、チャネル数、プログラムでのスタート位置またはオーディオ区間情報を含むことを特徴とする請求項３２に記載の放送プログラムサービス提供装置。
【請求項３４】
前記リソースメタデータが、
前記コンテンツのテキスト固体情報を記述するテキストメタデータを含むことを特徴とする請求項２７に記載の放送プログラムサービス提供装置。
【請求項３５】
前記テキスト個体情報が、
ＣＲＩＤと言語種類情報とを含むことを特徴とする請求項３４に記載の放送プログラムサービス提供装置。
【請求項３６】
前記リソースメタデータが、
前記コンテンツのイメージ固体情報を記述するイメージメタデータを含むことを特徴とする請求項２７に記載の放送プログラムサービス提供装置。
【請求項３７】
前記イメージ個体情報が、
前記コンテンツのＣＲＩＤ、画面の大きさ、ファイルフォーマット、ファイルの大きさ情報を含むことを特徴とする請求項３６に記載の放送プログラムサービス提供装置。
【請求項３８】
デジタル放送プログラムサービスを多様な形態の端末に提供するように拡張メタデータを用いた適応プログラムを提供するシステムに用いられる、個人プログラムサービス提供装置において、
前記プログラムと前記拡張メタデータとを受信して格納する格納手段と、
前記端末条件とユーザ条件とが外部から送信され、プログラム条件が前記格納手段から送信されてこれを用いて前記適応プログラムの提供に用いられるリソースを決定する個人プログラム分析手段と、
前記個人プログラム分析手段で決定したリソースを用いて前記適応プログラムを生成して提供する個人プログラム生成手段と、
を含むことを特徴とする個人プログラムサービス提供装置。
【請求項３９】
前記拡張メタデータが、
前記プログラムに含まれたコンテンツを適応的に構成するリソースに対する一般情報を記述するメタデータを含むリソースメタデータと、
前記端末の使用条件情報と前記条件に合う場面構成のために用いられるリソースの識別子であるＣＲＩＤ（Ｃｏｎｔｅｎｔ  Ｒｅｆｅｒｅｎｃｅ  Ｉｄｅｎｔｉｆｉｅｒ）とを含むリソース構成メタデータと、
を含むことを特徴とする請求項３８に記載の個人プログラムサービス提供装置。
【請求項４０】
前記コンテンツを適応的に構成するリソースに対する一般情報が、
前記リソースの時／空間的な位置及び相互作用情報から分離された情報であることを特徴とする請求項３９に記載の個人プログラムサービス提供装置。
【請求項４１】
前記端末の使用条件情報が、
端末条件、プログラム条件、及びユーザ条件情報を含むことを特徴とする請求項３９に記載の個人プログラムサービス提供装置。
【請求項４２】
前記リソースメタデータが、
前記コンテンツのビデオ個体情報を記述するビデオメタデータを含むことを特徴とする請求項３９に記載の個人プログラムサービス提供装置。
【請求項４３】
前記ビデオ個体情報が、
前記コンテンツのＣＲＩＤ、画面の大きさ、ファイルフォーマット、ファイルの大きさ、ビット率、色フォーマット、プログラムでのスタート位置またはビデオ区間情報を含むことを特徴とする請求項４２に記載の個人プログラムサービス提供装置。
【請求項４４】
前記リソースメタデータが、
前記コンテンツのオーディオ個体情報を記述するオーディオメタデータを含むことを特徴とする請求項３９に記載の個人プログラムサービス提供装置。
【請求項４５】
前記オーディオ固体情報が、
前記コンテンツのＣＲＩＤ、ファイルフォーマット、ファイルの大きさ、ビット率、チャネル数、プログラムでのスタート位置またはオーディオ区間情報を含むことを特徴とする請求項４４に記載の個人プログラムサービス提供装置。
【請求項４６】
前記リソースメタデータが、
前記コンテンツのテキスト固体情報を記述するテキストメタデータを含むことを特徴とする請求項３９に記載の個人プログラムサービス提供装置。
【請求項４７】
前記テキスト個体情報が、
ＣＲＩＤと言語種類情報とを含むことを特徴とする請求項４６に記載の個人プログラムサービス提供装置。
【請求項４８】
前記リソースメタデータが、
前記コンテンツのイメージ固体情報を記述するイメージメタデータを含むことを特徴とする請求項３９に記載の個人プログラムサービス提供装置。
【請求項４９】
前記イメージ個体情報が、
前記コンテンツのＣＲＩＤ、画面の大きさ、ファイルフォーマット、ファイルの大きさ情報を含むことを特徴とする請求項４８に記載の個人プログラムサービス提供装置。
【請求項５０】
デジタル放送プログラムサービスを多様な形態の端末に提供するように拡張メタデータを用いた適応プログラムを提供するシステムに用いられる、個人端末装置において、
前記拡張メタデータが送信されて特定プログラムを検索し、前記個人端末装置の端末条件とユーザ条件情報とを提供する制御手段と、
前記適応プログラムが送信されてこれを再生する再生手段と、
を含むことを特徴とする個人端末装置。
【請求項５１】
前記拡張メタデータが、
前記プログラムに含まれたコンテンツを適応的に構成するリソースに対する一般情報を記述するメタデータを含むリソースメタデータと、
前記端末の使用条件情報と前記条件に合う場面構成のために用いられるリソースの識別子であるＣＲＩＤ（Ｃｏｎｔｅｎｔ  Ｒｅｆｅｒｅｎｃｅ  Ｉｄｅｎｔｉｆｉｅｒ）とを含むリソース構成メタデータと、
を含むことを特徴とする請求項５０に記載の個人端末装置。
【請求項５２】
前記コンテンツを適応的に構成するリソースに対する一般情報が、
前記リソースの時／空間的な位置及び相互作用情報から分離された情報であることを特徴とする請求項５１に記載の個人端末装置。
【請求項５３】
前記端末の使用条件情報が、
端末条件、プログラム条件、及びユーザ条件情報を含むことを特徴とする請求項５１に記載の個人端末装置。
【請求項５４】
前記リソースメタデータが、
前記コンテンツのビデオ個体情報を記述するビデオメタデータを含むことを特徴とする請求項５１に記載の個人端末装置。
【請求項５５】
前記ビデオ個体情報が、
前記コンテンツのＣＲＩＤ、画面の大きさ、ファイルフォーマット、ファイルの大きさ、ビット率、色フォーマット、プログラムでのスタート位置またはビデオ区間情報を含むことを特徴とする請求項５４に記載の個人端末装置。
【請求項５６】
前記リソースメタデータが、
前記コンテンツのオーディオ固体情報を記述するオーディオメタデータを含むことを特徴とする請求項５１に記載の個人端末装置。
【請求項５７】
前記オーディオ個体情報が、
前記コンテンツのＣＲＩＤ、ファイルフォーマット、ファイルの大きさ、ビット率、チャネル数、プログラムでのスタート位置またはオーディオ区間情報を含むことを特徴とする請求項５６に記載の個人端末装置。
【請求項５８】
前記リソースメタデータが、
前記コンテンツのテキスト固体情報を記述するテキストメタデータを含むことを特徴とする請求項５１に記載の個人端末装置。
【請求項５９】
前記テキスト個体情報が、
ＣＲＩＤと言語種類情報とを含むことを特徴とする請求項５８に記載の個人端末装置。
【請求項６０】
前記リソースメタデータが、
前記コンテンツのイメージ固体情報を記述するイメージメタデータを含むことを特徴とする請求項５１に記載の個人端末装置。
【請求項６１】
前記イメージ個体情報が、
前記コンテンツのＣＲＩＤ、画面の大きさ、ファイルフォーマット、ファイルの大きさ情報を含むことを特徴とする請求項６０に記載の個人端末装置。
【請求項６２】
デジタル放送プログラムサービスを多様な形態の端末に提供するように拡張メタデータを用いた適応プログラムサービス提供方法において、
前記プログラムと前記拡張メタデータとを提供する放送プログラムサービス提供ステップと、
前記放送プログラムサービス提供ステップで提供した前記プログラムと前記拡張メタデータとを格納し、前記端末の条件に対応するリソースを用いて前記端末の使用条件に適応プログラムを提供する個人プログラムサービス提供ステップと、
端末条件とユーザ条件とを送信し、適応プログラムが送信されるための個人端末送信ステップと、
を含むことを特徴とする適応プログラムサービス提供方法。
【請求項６３】
前記個人プログラムサービス提供ステップが、
前記プログラムと前記拡張メタデータとを受信して格納する格納ステップと、
前記端末条件とユーザ条件とが送信され、プログラム条件が送信されてこれを用いて前記適応プログラムの提供に用いられるリソースを決定する個人プログラム分析ステップと、
前記個人プログラム分析ステップで決定したリソースを用いて前記適応プログラムを生成して前記端末に送信する個人プログラム生成ステップと、
を含むことを特徴とする請求項６２に記載の適応プログラムサービス提供方法。
【請求項６４】
前記個人端末送信ステップが、
前記拡張メタデータが送信されて特定プログラムを検索し、前記端末の端末条件とユーザ条件情報とを送信する制御ステップと、
前記適応プログラムが送信され、これを用いて再生する再生ステップと、
を含むことを特徴とする請求項６３に記載の適応プログラムサービス提供方法。
【請求項６５】
前記拡張メタデータが、
前記プログラムに含まれたコンテンツを適応的に構成するリソースに対する一般情報を記述するメタデータを含むリソースメタデータと、
前記端末の使用条件情報と前記条件に合う場面構成のために用いられるリソースの識別子であるＣＲＩＤ（Ｃｏｎｔｅｎｔ  Ｒｅｆｅｒｅｎｃｅ  Ｉｄｅｎｔｉｆｉｅｒ）とを含むリソース構成メタデータと、
を含むことを特徴とする請求項６２〜６４のいずれか１項に記載の適応プログラムサービス提供方法。
【請求項６６】
前記コンテンツを適応的に構成するリソースに対する一般情報が、
前記リソースの時／空間的な位置及び相互作用情報から分離された情報であることを特徴とする請求項６５に記載の適応プログラムサービス提供方法。
【請求項６７】
前記端末の使用条件情報が、
端末条件、プログラム条件、及びユーザ条件情報を含むことを特徴とする請求項６５に記載の適応プログラムサービス提供方法。
【請求項６８】
前記リソースメタデータが、
前記コンテンツのビデオ個体情報を記述するビデオメタデータを含むことを特徴とする請求項６５に記載の適応プログラムサービス提供方法。
【請求項６９】
前記ビデオ個体情報が、
前記コンテンツのＣＲＩＤ、画面の大きさ、ファイルフォーマット、ファイルの大きさ、ビット率、色フォーマット、プログラムでのスタート位置またはビデオ区間情報を含むことを特徴とする請求項６８に記載の適応プログラムサービス提供方法。
【請求項７０】
前記リソースメタデータが、
前記コンテンツのオーディオ固体情報を記述するオーディオメタデータを含むことを特徴とする請求項６５に記載の適応プログラムサービス提供方法。
【請求項７１】
前記オーディオ個体情報が、
前記コンテンツのＣＲＩＤ、ファイルフォーマット、ファイルの大きさ、ビット率、チャネル数、プログラムでのスタート位置またはオーディオ区間情報を含むことを特徴とする請求項７０に記載の適応プログラムサービス提供方法。
【請求項７２】
前記リソースメタデータが、
前記コンテンツのテキスト固体情報を記述するテキストメタデータを含むことを特徴とする請求項６５に記載の適応プログラムサービス提供方法。
【請求項７３】
前記テキスト個体情報が、
ＣＲＩＤと言語種類情報とを含むことを特徴とする請求項７２に記載の適応プログラムサービス提供方法。
【請求項７４】
前記リソースメタデータが、
前記コンテンツのイメージ固体情報を記述するイメージメタデータを含むことを特徴とする請求項６５に記載の適応プログラムサービス提供方法。
【請求項７５】
前記イメージ個体情報が、
前記コンテンツのＣＲＩＤ、画面の大きさ、ファイルフォーマット、ファイルの大きさ情報を含むことを特徴とする請求項７４に記載の適応プログラムサービス提供方法。
【手続補正２】
【補正対象書類名】明細書
【補正対象項目名】全文
【補正方法】変更
【補正の内容】
【発明の詳細な説明】
【技術分野】
【０００１】
本発明は、デジタル放送サービスを提供するのに用いられるメタデータのデータ構造とこれを用いてプログラムサービスを提供するシステム及びその方法と、当該方法を実現させるためのプログラムを記録したコンピュータで読み取ることができる記録媒体に関する。
【０００２】
さらに詳細には、放送プログラムサービス提供者がメタデータを用いて高画質／高容量のデジタル放送プログラムを多様な形態の個人端末に適応プログラムを提供するようにするための、拡張されたメタデータのデータ構造とこれを用いて適応プログラムサービスを提供するシステム及びその方法と、当該方法を実現させるためのプログラムを記録したコンピュータで読み取ることができる記録媒体に関する。
【背景技術】
【０００３】
一般に、プログラムを消費するユーザは、プログラムを提供する提供者により、提供者のスケジュールによって一方的に提供されている放送番組またはコンテンツを用いてきていた。  
しかし、このような形態の放送番組またはコンテンツ提供方式は、多様なユーザの要求を受け入れることが難しかった。  すなわち、ユーザの多くは、自分の所望する方法で所望の時間に多様な形態のプログラムを視聴することを望んでいる。  
ここで、プログラムとは、一般的に一連のコンテンツ集合を意味し、本明細書では個人用大容量格納装置（Ｐｅｒｓｏｎａｌ  Ｄｉｇｉｔａｌ  Ｒｅｃｏｒｄｅｒ、  以下、ＰＤＲとする。）において、１つの単位で獲得される一連のコンテンツ集合であり、例えば、「ＭＢＣ」  放送局で放送する「９時ニュースデスク」のようなものをいう。
【０００４】
このようなユーザの要求を充足させるために、「ＴＶ−Ａｎｙｔｉｍｅ」フォーラムは、全てのユーザがＰＤＲを基盤に自分の所望する方法で所望の時間に多様な形態のプログラムを視聴できるようにメタデータ構造の標準を定義して提供している。
【０００５】
上記「ＴＶ−Ａｎｙｔｉｍｅ」フォーラムとは、ＰＤＲを備えたユーザ環境において、オーディオビジュアル関連のサービス提供のための標準開発を目的に１９９９年９月に設立された民間標準機構である。
【０００６】
また、上記メタデータとは、プログラム題目、ジャンル、概要のようなコンテンツに対する説明的なデータを意味し、一般的には、データに関するデータ（ｄａｔａ  ａｂｏｕｔ  ｄａｔａ）として定義される。
【０００７】
以下では、従来の「ＴＶ−Ａｎｙｔｉｍｅ」フォーラム基盤のメタデータ構造を有するメタデータを従来のメタデータとする。
【０００８】
図１は、従来のメタデータの構造図を示すものである。
【０００９】
同図に示しているように、従来のメタデータ１００の構造は、プログラムの位置独立的な一般情報を記述するコンテンツ記述メタデータ（Ｃｏｎｔｅｎｔ  Ｄｅｓｃｒｉｐｔｉｏｎ  Ｍｅｔａｄａｔａ）１１０と、実際放送されるプログラム個体に対する情報を記述するインスタンス記述メタデータ（Ｉｎｓｔａｎｃｅ  Ｄｅｓｃｒｉｐｔｉｏｎ  Ｍｅｔａｄａｔａ）１２０と、プログラムを構成する重要セグメントに対する情報を記述するセグメンテーションメタデータ（Ｓｅｇｍｅｎｔａｔｉｏｎ  Ｍｅｔａｄａｔａ）１３０とから構成される。
【００１０】
ここで、セグメントとは、上述のプログラムに含まれた１つのコンテンツを連続して構成する単位であり、例えば、１つのニュースプログラムを構成するニューストピックスのようなものをいう。
【００１１】
コンテンツ記述メタデータ１１０は、放送プログラムの位置独立的な一般的な情報（例えば、プログラム題目、ジャンル、あらすじ、登場人物の情報など）に対する記述情報を提供するプログラムメタデータ１１１と、複数個のプログラムが構成するプログラム集合に対する情報を記述するプログラムグループメタデータ１１２とから構成される。
【００１２】
また、インスタンス記述メタデータ１２０は、特定の放送イベント関連プログラムの位置及びサービス情報に対する記述情報を提供するプログラム位置メタデータ１２１から構成される。
【００１３】
また、セグメンテーションメタデータ１３０は、プログラムをセグメント単位に分割した後、様々な方面に再構成してコンテンツに対するハイライト、ブックマーク、イベント基盤のブラウジングなどの記述情報を提供するセグメントメタデータ１３１と、セグメント集合に対する情報を記述するセグメントグループメタデータ１３２とから構成される。
【００１４】
上で説明した従来のメタデータの構造は、従来のユーザ環境としてセットトップボックスのみで構成された単一端末環境を考慮したものである。このような環境において、デジタル放送サービスを提供するためには、セットトップボックスの条件（ＣＰＵ処理速度、画面の大きさ、格納媒体容量など）に合うプログラム及びメタデータを提供することだけが考慮の対象であった。
【００１５】
しかし、ユーザ環境は、前記のような従来の単一端末環境から、ラップトップコンピュータ、ＰＤＡ（Ｐｅｒｓｏｎａｌ  Ｄｉｇｉｔａｌ  Ａｓｓｉｔａｎｔ）、ＭＰ３プレーヤ、ホームシアタ（Ｈｏｍｅ  Ｔｈｅａｔｅｒ）、ＤＶＤプレーヤ、ゲームコンソール、デジタルカメラなどのような多様な形態の複数の端末が、有／無線のホームネットワーク上に接続されている多様な形態の端末環境に変化する傾向にある。
【００１６】
したがって、従来のメタデータのみを用いたデジタル放送サービスでは、上記のような変化の傾向に相応し、個別端末の条件によって適応放送プログラムとメタデータとを提供しなければならないという多様な要求を解決できない。
【００１７】
例えば、画面の大きさが小さいＰＤＡのためには、セットトップボックスで提供していた映像を縮小して提供しなければならず、映像処理が不可能なＭＰ３プレーヤのためには、動映像プログラムから音声だけを取り出して提供しなければならない。  
このように多様な形態の端末に適応プログラム及びメタデータを提供するという目標は、プログラムの単純な変形（Ｔｒａｎｓｆｏｒｍｉｎｇ）やデータ重複性を用いたデータ削除（Ｄｒｏｐｐｉｎｇ）などのように単純にプログラム容量を減らすという消極的な方法では達成できない。
【００１８】
したがって、多様な形態の端末の使用条件によって、プログラム及びメタデータ消費画面（場面）を適応的に再構成する能動的な方法が必要となる。
【００１９】
また、再構成された場面をユーザ端末に記述するための従来の場面記述言語（ＳＭＩＬ（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ）、ＸＭＴ（Ｅｘｔｅｎｓｉｂｌｅ  ＭＰＥＧ−４  Ｔｅｘｔｕａｌ  Ｆｏｒｍａｔ）など）では、場面を構成するリソース関連情報を、場面上でのリソースの時／空間的な位置及び相互作用情報と共に管理する特徴を有していた。
【００２０】
しかし、このような管理方式では、多様な形態の端末のために複数の場面を提供するように反復して用いられるリソース関連情報の再使用が難しいという問題が発生する。
【００２１】
ここで、リソースとは、コンテンツを構成するＡＶ（Ａｕｄｉｏ  Ｖｉｓｕａｌ）  オブジェクト（例えば、ビデオ、オーディオ、イメージ、テキストなど）をいう。
【００２２】
また、場面を構成するリソース選別過程のために、それぞれの個人プログラムサービス提供者がそれに対応する特定端末の使用条件（端末、プログラム、ユーザ）の組み合せと個別の組み合せに合うリソース情報を独立して管理するようになると、情報を重複格納するようになるため、格納装置の浪費を招くもう１つの問題が発生する。  
したがって、ホームネットワーク上の多様な形態の端末環境のために適応デジタル放送サービスを提供するためには、多様な形態の個人端末の全ての条件（端末、プログラム、ユーザ）の組み合せと個別の組み合せに合うリソース情報の統合管理、そして、時／空間的な位置情報から分離されたリソース関連情報の単独管理を用いて個別端末に適応場面を再構成する方案が要求される。
【発明の開示】
【発明が解決しようとする課題】
【００２３】
そこで、本発明は、上記のような問題点を解決するためになされたものであって、その目的は、ホームネットワーク上の多様な形態の端末環境のために適応デジタル放送サービスを提供するために、多様な形態の個人端末条件の組み合せと個別の組み合せに合うリソース情報の統合管理、そして、時／空間的な位置情報から分離されたリソース関連情報の単独管理を提供することによって個別端末に適応場面を再構成することができる拡張されたメタデータ構造を提供することにある。
【００２４】
また、本発明の他の目的は、ホームネットワーク上の多様な形態の端末環境のために適応デジタル放送サービスを提供するために、上記拡張されたメタデータを用いて適応プログラムサービスを提供するシステム及びその方法を提供することにある。
【００２５】
また、本発明の他のもう１つの目的は、ホームネットワーク上の多様な形態の端末環境のために適応デジタル放送サービスを提供するために、上記拡張されたメタデータを用いて適応プログラムサービスを提供する機能を実現させるためのプログラムを記録したコンピュータで読み取り可能な記録媒体を提供することにある。
【課題を解決するための手段】
【００２６】
上記の目的を達成するために、本発明は、デジタル放送プログラムサービスを多様な形態の端末に適応的に提供するための拡張メタデータにおいて、前記プログラムに含まれたコンテンツを適応的に構成するリソースに対する一般情報を記述するメタデータを含むリソースメタデータと、前記端末の使用条件情報と前記条件に合う場面構成のために用いられるリソースの識別子であるＣＲＩＤ（Ｃｏｎｔｅｎｔ  Ｒｅｆｅｒｅｎｃｅ  Ｉｄｅｎｔｉｆｉｅｒ）とを含むリソース構成メタデータと、
を含む拡張メタデータを提供する。
【００２７】
一方、上記の目的を達成するために、本発明は、デジタル放送プログラムサービスを多様な形態の端末に提供するように拡張メタデータを用いた適応プログラムサービス提供システムにおいて、前記プログラムと前記拡張メタデータとを提供する放送プログラムサービス提供手段と、前記放送プログラムサービス提供手段で送信した前記プログラムと前記拡張メタデータとを格納し、前記端末の条件に対応するリソースを用いて前記端末の使用条件に適応プログラムを提供する個人プログラムサービス提供手段と、前記個人プログラムサービス提供手段で端末条件とユーザ条件とを送信し、前記個人プログラムサービス提供手段から適応プログラムが送信されるための個人端末制御／再生手段と、を含む適応プログラムサービス提供システムを提供する。
【００２８】
一方、上記の目的を達成するために、本発明は、デジタル放送プログラムサービスを多様な形態の端末に提供するように拡張メタデータを用いた適応プログラムを提供するシステムに用いられる、放送プログラムサービス提供装置において、前記プログラムと前記拡張メタデータとを提供する放送プログラム提供手段を含む放送プログラムサービス提供装置を提供する。
【００２９】
一方、上記の目的を達成するために、本発明は、デジタル放送プログラムサービスを多様な形態の端末に提供するように拡張メタデータを用いた適応プログラムを提供するシステムに用いられる、個人プログラムサービス提供装置において、前記プログラムと前記拡張メタデータとを受信して格納する格納手段と、前記端末条件とユーザ条件とが外部から送信され、プログラム条件が前記格納手段から送信されてこれを用いて前記適応プログラムの提供に用いられるリソースを決定する個人プログラム分析手段と、前記個人プログラム分析手段で決定したリソースを用いて前記適応プログラムを生成して提供する個人プログラム生成手段と、を含む個人プログラムサービス提供装置を提供する。
【００３０】
一方、上記の目的を達成するために、本発明は、デジタル放送プログラムサービスを多様な形態の端末に提供するように拡張メタデータを用いた適応プログラムを提供するシステムに用いられる、個人端末装置において、前記拡張メタデータが送信されて特定プログラムを検索し、前記個人端末装置の端末条件とユーザ条件情報とを提供する制御手段と、前記適応プログラムが送信されてこれを再生する再生手段と、を含む個人端末装置を提供する。
【００３１】
一方、上記の目的を達成するために、本発明は、デジタル放送プログラムサービスを多様な形態の端末に提供するように拡張メタデータを用いた適応プログラムサービス提供方法において、前記プログラムと前記拡張メタデータとを提供する放送プログラムサービス提供ステップと、前記放送プログラムサービス提供ステップで提供した前記プログラムと前記拡張メタデータとを格納し、前記端末の条件に対応するリソースを用いて前記端末の使用条件に適応プログラムを提供する個人プログラムサービス提供ステップと、端末条件とユーザ条件とを送信し、適応プログラムが送信されるための個人端末送信ステップと、を含む適応プログラムサービス提供方法を提供する。
【発明を実施するための最良の形態】
【００３２】
上述した目的、特徴及び長所などは、添付された図面と関連した次の詳細な説明を通してより明確になるだろう。まず、各図面の構成要素に参照番号を付するにおいて、同じ構成要素に限っては、たとえ、異なる図面上に表示されても、できるだけ同じ番号を持つようにしていることに留意しなければならない。以下、添付された図面を参照して本発明に係る好ましい実施の形態を詳細に説明する。
【００３３】
図２は、本発明に係る拡張メタデータの一実施の形態の構造図である。
【００３４】
同図に示しているように、本発明に係る拡張されたメタデータの構造は、従来のメタデータ１００の構造にリソース記述メタデータ２０１を追加して拡張した構造である。以下、従来のメタデータの構造に本発明で提案するリソース記述メタデータ２０１を追加した構造を含むメタデータを拡張メタデータ２００とする。
【００３５】
リソース記述メタデータ２０１は、プログラムを構成するコンテンツの下位構成リソースを記述するものであって、リソースメタデータ２１０とリソース構成メタデータ２２０とを含む。  
リソースメタデータ２１０は、プログラムを構成するコンテンツの下位構成リソース（例えば  、ＡＶオブジェクト、キーフレーム、キーワード、関連ＨＴＭＬ（Ｈｙｐｅｒ  Ｔｅｘｔ  Ｍａｒｋｕｐ  Ｌａｎｇｕａｇｅ）文書など）に対する一般記述情報（例えば、ＩＤ（Ｉｄｅｎｔｉｆｉｅｒ）、ロケータ（Ｌｏｃａｔｏｒ）、映像の大きさ、容量など）を含む。
【００３６】
また、リソース構成メタデータ２２０は、個人端末の環境（例えば、端末、プログラム、ユーザ）情報と上記条件に適合した場面構成のために用いられるリソースの識別子であるＣＲＩＤ（Ｃｏｎｔｅｎｔ  Ｒｅｆｅｒｅｎｃｅ  Ｉｄｅｎｔｉｆｉｅｒ）とを含む。
【００３７】
さらに詳細には、リソースメタデータ２１０は、上記したセグメンテーションメタデータ１３０が記述するプログラムのコンテンツを構成する下位リソースに対する個別情報を記述するメタデータの抽象化（ａｂｓｔｒａｃｔ）タイプであり、リソースの物理的な位置に独立的な識別子であるＣＲＩＤ（Ｃｏｎｔｅｎｔ  Ｒｅｆｅｒｅｎｃｅ  Ｉｄｅｎｔｉｆｉｅｒ）を含む。
【００３８】
また、リソースメタデータ２１０は、上位セグメンテーションメタデータ１３０によって記述されるコンテンツのビデオ個体情報を記述するものであって、上記コンテンツのＣＲＩＤ、画面の大きさ（ａｓｐｅｃｔ  ｒａｔｉｏ）、ファイルフォーマット、ファイルの大きさ、ビット率（ｂｉｔ  ｒａｔｅ）、色フォーマット（例えば、白黒）、プログラムでのスタート位置（ｓｔａｒｔ  ｐｏｉｎｔ）またはビデオ区間情報を含むビデオメタデータ２１１と、上位セグメンテーションメタデータ１３０によって記述されるコンテンツのオーディオ個体情報を記述するものであって、ＣＲＩＤ、ファイルフォーマット、ファイルの大きさ、ビット率、サンプリング周波数、チャネル数、プログラムでのスタート位置またはオーディオ区間情報を含むオーディオメタデータ２１２と、上位セグメンテーションメタデータ１３０によって記述されるコンテンツのテキスト個体（キーワード、シノプシスなど）情報を記述するものであって、ＣＲＩＤと言語種類（Ｌａｎｇｕａｇｅ  Ｔｙｐｅ）情報とを含むテキストメタデータ２１３と、上位セグメンテーションメタデータ１３０によって記述されるコンテンツのイメージ個体情報を記述するものであって、ＣＲＩＤ、画面の大きさ、ファイルフォーマット、ファイルの大きさ、ビット率または色ドメイン情報を含むイメージメタデータ２１４と、上位セグメンテーションメタデータ１３０によって記述されるコンテンツと関連したＨｔｍｌ文書のＵＲＩ（Ｕｎｉｆｏｒｍ  Ｒｅｓｏｕｒｃｅ  Ｉｄｅｎｔｉｆｉｅｒ）を含むＨｔｍｌメタデータ２１５とを含む。ここで、上記ＵＲＩは、個人端末の画面の大きさに合う適応Ｈｔｍｌ（Ａｄａｐｔｉｖｅ  Ｈｔｍｌ）文書を提供する物理的なディレクトリ位置を示す情報である。
【００３９】
一方、リソース構成メタデータ２２０は、上記個人端末の使用条件情報と上記条件に合う場面構成のために用いられるリソースに対するＣＲＩＤ情報とを含む。
【００４０】
すなわち、リソース構成メタデータ２２０は、各個人端末の条件別フィールド（端末条件フィールド、プログラム条件フィールド、ユーザ条件フィールド）と、これらフィールド値が組み合わせられた環境を有する各個人端末のための適応場面の構成に用いられるリソースのＣＲＩＤを有するフィールドとを含む。ただし、リソース構成メタデータ２２０で考慮する上記リソースは、リソースメタデータ２１０で記述するリソースに限定される。
【００４１】
個別端末の放送プログラム及びメタデータ消費画面（場面）は、場面を構成するＡＶオブジェクト、上記場面上で上記ＡＶオブジェクトなどの時／空間的な位置情報及び相互作用情報で表現され得る。
【００４２】
したがって、個人プログラムサービスで個別端末に適応場面を提供するための場面再構成過程は、個人端末の条件に合う場面構成ＡＶオブジェクトを選別する第１ステップと、選別されたＡＶオブジェクトの記述情報を獲得する第２ステップと、選択された場面記述言語を用いて場面を記述する第３ステップとから構成される。
【００４３】
ここで、上記場面再構成過程は、本発明によってリソースメタデータ２１０とリソース構成メタデータ２２０とを用いることによって、リソース構成メタデータ２２０を参照して個人端末の条件に合う場面構成リソースを選別する第ａステップと、選別したリソースの記述情報をリソースメタデータ２１０から獲得する第ｂステップと、場面記述言語でリソースと場面上でこれらの時／空間的な位置情報及び相互作用情報を記述する第ｃステップとから構成して説明される。
【００４４】
したがって、上記場面再構成過程において、リソースメタデータ２１０を用いて場面を構成するリソース情報を場面記述情報（ＡＶオブジェクトの時／空間的な位置及び相互作用情報）から分離、独立して管理することによって、多様な形態の個人端末に様々な場面を提供するにおいて、反復して用いられるリソース情報を不必要に再生産する過程を除去または減らすことができる。
【００４５】
また、リソース構成メタデータ２２０を用いて、個別端末の条件別に使用可能なリソースの種類に対する情報を提供することによって、上記第１ステップで毎回行わなければならない端末条件を組み合せ、各組み合せ別リソースを選択する複雑な過程を単純化できる。
【００４６】
図３は、本発明に係る拡張メタデータを用いた適応プログラムサービス提供システムの一実施の形態の構成図である。
【００４７】
同図に示しているように、適応プログラムサービス提供システムは、複数の放送プログラムサービス提供装置３１０と、放送プログラムサービス提供装置から送信される放送プログラム及び拡張メタデータを受信して格納、管理し、プログラム及びメタデータを個人端末に適応的に提供する個人プログラムサービス提供装置３２０と、上記個人プログラムサービス提供装置３２０と家庭内ホームネットワーク網（図示せず）とに接続され、制約的システムリソース（例えば、ＣＰＵ処理速度、画面の大きさ、格納媒体容量）を有する多様な形態の個人端末３３０と、特定プログラムに接続した追加資料を提供する外部のリターンチャネルサーバ３４０とを含む。
【００４８】
個人プログラムサービス提供装置３２０は、位置独立的なシステムであり、例えば、家庭内放送サービス送／受信を担当するセットトップボックスであったり、外部に位置する別途のサーバであり得る。
【００４９】
放送プログラムサービス提供装置３１０は、放送プログラムと共に拡張メタデータを送信して個人プログラムサービス提供装置に提供する。個人プログラムサービス提供装置３２０は、これを受信して格納部３２１に格納、管理する。そして、ホームネットワーク上に接続している個人端末３３０から高画質の放送プログラムとメタデータ視聴要請がある場合、内部の個人プログラム分析部３２２を動作させる。
【００５０】
個人プログラム分析部３２２は、格納部３２１のプログラム条件、そして、個人端末の制御部３３２から送られる端末及びユーザ条件情報を用いて格納部３２１のリソース構成メタデータを検索し、該当条件を有する個人端末３３０のための適応場面を構成するのに用いられるリソースの種類であるリソース構成タイプ（Ｒｅｓｏｕｒｃｅ  Ｃｏｍｐｏｓｉｔｉｏｎ  Ｔｙｐｅ）を決定する。
【００５１】
決定されたリソース構成タイプ情報は、個人プログラム生成部３２３に伝えられ、それと同時に格納部３２１からリソース構成タイプが指定（場面を構成するリソースの種類）するリソースのリソースメタデータとプログラムとを受け取る。すると、個人プログラム生成部３２３は、リソースメタデータから場面を構成するリソースに対する情報を獲得し、場面記述言語を用いて個別端末に適応場面情報を有する場面記述文書を生成する。
【００５２】
このように、個人プログラムサービス提供装置３２０によって生成された場面記述文書と新しく生成された適応場面に用いられるリソースは、家庭内ホームネットワーク網を通して個人端末に送信される。すると、個人端末３３０の再生部３３１は、送信された場面記述文書をパーシング（ｐａｒｓｉｎｇ）した後、プログラムリソースを用いて該当端末に適応場面をディスプレイする。
【００５３】
また、個人端末３３０の適応場面ユーザは、場面視聴中場面を構成する１つのプログラムリソースである、プログラム関連の追加資料（ｍａｔｅｒｉａｌ、例えば、Ｈｔｍｌ文書）を外部のリターンチャネルサーバ３４０に要請し、個人端末３３０の端末画面に適応Ｈｔｍｌ（Ａｄａｐｔｉｖｅ  Ｈｔｍｌ）文書を受け取ることができる。
【００５４】
図４は、本発明に係る適応プログラムサービス提供方法に対する一実施の形態のフローチャートであり、拡張メタデータを用いた適応プログラムサービス提供システムの動作図である。
【００５５】
各ステップ別の動作の流れは以下の通りである。
【００５６】
生成（Ｃｒｅａｔｅ）
放送プログラムサービス提供装置３１０は、外部システムであるプログラム生成装置４８０から新しいプログラムと上記プログラムを記述する従来のメタデータとが提供される。ここで、プログラム生成装置４８０は、映画スタジオやエンターテインメント会社のようなプログラムプロデューサを含み、プログラム生成装置４８０は、上記プログラムプロデューサにおいて上記プログラムと従来のメタデータとを生成して送信する装置である。
【００５７】
公示（Ｐｕｂｌｉｓｈ）
放送プログラムサービス提供装置３１０は、従来のメタデータにリソースメタデータ２１０とリソース構成メタデータ２２０とを生成、追加して拡張メタデータを生成する。
【００５８】
また、プログラムとメタデータとを再組み合せ（ｒｅｐａｃｋｉｎｇ）してプログラム放送などを担当し、放送サービスの初期ステップでプログラムを参照するＣＲＩＤ、コンテンツ記述メタデータ、インスタンス記述メタデータ及びプログラムを獲得できる時間と物理的な位置情報を有する位置決定データ（Ｌｏｃａｔｉｏｎ  Ｒｅｓｏｌｕｔｉｏｎ  Ｄａｔａ）を公示する。
【００５９】
公示されたＣＲＩＤ、コンテンツ記述メタデータ及びインスタンス記述メタデータは個人プログラムサービス提供装置３２０の第１検索／ナビゲーションモジュール４１０に、位置決定データは個人プログラムサービス提供装置３２０の位置決定モジュール４２０に伝えられる。
【００６０】
次いで、個人プログラムサービス提供装置３２０は、コンテンツ記述メタデータとインスタンス記述メタデータの一部とをネットワークを通して接続された個人端末３３０の第２検索／ナビゲーションモジュール４５０に伝える。
【００６１】
検索（Ｓｅａｒｃｈ）
個人端末の第２検索／ナビゲーションモジュール４５０は、コンテンツ記述メタデータとインスタンス記述メタデータとを用いて電子プログラムガイド（Ｅｌｅｃｔｒｏｎｉｃ  Ｐｒｏｇｒａｍ  Ｇｕｉｄｅ、以下、ＥＰＧとする。）をレンダリングし、第２ユーザ相互作用モジュール４６０の制御部３３２は、視聴するプログラムを選択するためにＥＰＧを検索する。
【００６２】
選択（Ｓｅｌｅｃｔ）
第２ユーザ相互作用モジュール４６０の制御部３３２が、ＥＰＧ上で所望のプログラムを選択すると、第２検索／ナビゲーションモジュール４５０は、選択されたプログラムに該当するＣＲＩＤをユーザに知らせる。すると、前記制御部３３２は、選択したプログラムのＣＲＩＤと個人端末、ユーザ条件を個人プログラムサービス提供装置３２０の第１ユーザ相互作用モジュール４４０に伝える。
【００６３】
位置（Ｌｏｃａｔｅ）
個人プログラムサービス提供装置３２０の第２ユーザ相互作用モジュール４６０は、受け取ったプログラムのＣＲＩＤを位置決定モジュール４２０に伝え、プログラムの物理的な位置（Ｌｏｃａｔｏｒｓ）情報を受け取る。
【００６４】
獲得（Ａｃｑｕｉｒｅ）
個人プログラムサービス提供装置３２０は、伝えられた物理的な位置のうちの１つを選択し、放送プログラムサービス提供装置３１０からプログラム、プログラムのセグメンテーションメタデータ（Ｓｅｇｍｅｎｔａｔｉｏｎ  Ｍｅｔａｄａｔａ）、そして、リソースメタデータ２１０とリソース構成メタデータ２２０とを獲得して格納媒体管理モジュール４３０に格納する。
【００６５】
場面のためのリソース構成タイプ決定（Ｒｅｓｏｕｒｃｅ  Ｃｏｍｐｏｓｉｔｉｏｎ  Ｔｙｐｅ  Ｄｅｃｉｓｉｏｎ）
第２ユーザ相互作用モジュール４６０の個人プログラム分析部３２２は、格納媒体管理モジュール４３０からプログラム条件とプログラムのセグメンテーションメタデータ、リソース構成メタデータを受け取る。
【００６６】
次いで、個人プログラム分析部３２２は、伝えられたプログラム条件、選択ステップで個人端末３３０から伝えられた端末条件、及びユーザ条件で、格納媒体管理モジュール４３０のリソース構成メタデータ２２０を検索し、該当条件を有する個人端末３３０のための適応場面の構成に用いられるリソースの種類であるリソース構成タイプ（Ｒｅｓｏｕｒｃｅ  Ｃｏｍｐｏｓｉｔｉｏｎ  Ｔｙｐｅ）を決定する。
【００６７】
場面記述文書生成（Ｓｃｅｎｅ  Ｄｅｓｃｒｉｐｔｉｏｎ  Ｇｅｎｅｒａｔｉｏｎ）
決定されたリソース構成タイプ情報は、個人プログラム生成部３２３に伝えられ、それと同時に格納媒体管理モジュール４３０からリソース構成タイプが指定（場面を構成するリソースの種類）するリソースのリソースメタデータ２１０とプログラムとを受け取る。
すると、個人プログラム生成部３２３は、リソースメタデータ２１０から場面を構成するリソースに対する情報を獲得し、場面記述言語でこれらの時／空間的な位置及び相互作用情報を記述し、個人端末３３０に適応場面を記述する場面記述文書を生成する。  
【００６８】
送信（Ｈｏｍｅ  Ｎｅｔｗｏｒｋｉｎｇ）
個人プログラムサービス提供装置３２０の個人プログラム生成部３２３によって生成された場面記述文書及び場面を構成するプログラムリソースは、家庭内ホームネットワーク網を通して個人端末３３０の第２ユーザ相互作用モジュール４６０に送信される。  
【００６９】
視聴（Ｖｉｅｗ）
第２ユーザ相互作用モジュール４６０の再生部３３１は、場面記述文書をパーシングし、関連プログラムリソースを用いてプログラム消費画面（場面）を第２ユーザ相互作用モジュール４６０に提供してユーザが視聴できるようにする。  
また、場面視聴中にユーザは、場面と関連した追加資料（ｍａｔｅｒｉａｌ、例えば、Ｈｔｍｌ文書）を外部のリターンチャネルサーバ３４０に要請し、リターンチャネルサーバ３４０の第２格納媒体管理モジュール４７０から端末場面の大きさに合う適応Ｈｔｍｌ文書を受け取ることができる。
【００７０】
終了（Ｆｉｎｉｓｈｉｎｇ）
個人端末３３０のプログラム視聴後、個人端末３３０のプログラム使用の内訳に履歴情報である消費履歴（Ｕｓａｇｅ  Ｈｉｓｔｏｒｙ）情報を格納し、これを基にユーザ選好度に対する情報を取り出す。
【００７１】
上述のように、本発明の方法はプログラムで具現され、コンピュータで読み取ることができる記録媒体（ＣＤ−ＲＯＭ、ラム、ロム、フロッピーディスク、ハードディスク、光磁気ディスクなど）に格納される。
【００７２】
上述の説明のように、本発明は、場面を構成するＡＶオブジェクト情報を時／空間的な位置及び相互作用情報から分離してリソースメタデータで管理することによって、複数の個人端末のための複数の場面提供において、反復して用いられるリソース情報の不必要な再生産過程をなくし、効率的で一貫した情報管理ができるという効果があることが分かる。
【００７３】
また、プログラムを構成する下位リソースに対する情報（リソースメタデータ）と共に条件によって選択できるリソースの種類に対する情報をリソース構成メタデータで管理することによって、条件の組み合せによる複雑なリソース選択過程を単純化できるという効果があることが分かる。
【００７４】
一方、本発明は、従来のメタデータ構造を拡張することによって、ホームネットワーク上の複数の端末環境のための適応デジタル放送サービス提供のために個人端末の全ての条件（端末、プログラム、ユーザ）の組み合せと個別の組み合せに合うリソース情報を統合管理し、時／空間的な位置情報から分離されたリソース関連情報を単独で管理することによって、用いた個別端末に適応場面を効果的に再構成できるという効果があることが分かる。
【００７５】
一方、本発明は、従来のメタデータ構造を拡張した拡張メタデータを用いて個人プログラムサービスを提供することによって、従来の単純なプログラム変形（Ｔｒａｎｓｆｏｒｍｉｎｇ）やデータ重複性を用いたデータ削除（Ｄｒｏｐｐｉｎｇ）などの消極的方法を使用せず、端末、プログラム、ユーザ条件などによって個別端末の放送プログラム及びメタデータ消費画面（場面）を適応的に再構成する能動的方法を用いることができるという効果があることが分かる。
【００７６】
尚、本発明は、上記した本実施の形態に限られるものではなく、本発明の技術的思想から逸脱しない範囲内で多様に変更が可能であり、それらも本発明の技術的範囲に属する。
【図面の簡単な説明】
【００７７】
【図１】従来のメタデータの構造図である。
【図２】本発明に係る拡張メタデータの一実施の形態の構造図である。
【図３】本発明に係る拡張メタデータを用いた個人プログラムサービス提供システムの一実施の形態の構成図である。
【図４】本発明に係る拡張メタデータを用いた個人プログラムサービス提供方法に対する一実施の形態のフローチャートである。
【手続補正３】
【補正対象書類名】図面
【補正対象項目名】図２
【補正方法】変更
【補正の内容】
【図２】
2007520900.tif 000007
【国際調査報告】
2007520900.tif 000008